(57)【特許請求の範囲】
【請求項１】
ハンドルと、
前記ハンドルに連結されるアプリケータヘッドとを含むアプリケータであって、
前記アプリケータヘッドが、少なくとも１つのらせん状アプリケータ表面を含み、前記少なくとも１つのらせん状アプリケータ表面が、中空の空間の周囲に配置され、複数の突起部が、中空の空間に面する前記少なくとも１つのらせん状アプリケータ表面の一区分に取り付けられ、
前記複数の突起部が、前記中空の空間内に延びており、
前記複数の突起部が、複数のノブ状突起部を備える、アプリケータ。
【請求項２】
前記らせん状アプリケータ表面が、コイルによって画定される、請求項１に記載のアプリケータ。
【請求項３】
前記アプリケータヘッドが、中空の空間の周囲に配置される複数のらせん状アプリケータ表面を含み、前記複数のらせん状アプリケータ表面の少なくとも１つが、前記中空の空間に面する、前記複数のらせん状アプリケータ表面の少なくとも１つの一区分にのみ取り付けられた複数の突起部を有する、請求項１又は２に記載のアプリケータ。
【請求項４】
前記複数のらせん状アプリケータ表面がそれぞれ、前記中空の空間に面する、前記複数のらせん状アプリケータ表面それぞれの一区分にのみ取り付けられる複数の突起部を有し、前記複数の突起部が前記中空の空間内に延びる、請求項３に記載のアプリケータ。
【請求項５】
前記複数の突起部が、前記らせん状アプリケータ表面に、一端で取り付けられる複数の棒状突起部を含む、請求項１〜４のいずれか一項に記載のアプリケータ。
【請求項６】
前記複数の突起部が、前記らせん状アプリケータ表面に一端で取り付けられる複数のプレート状突起部を含む、請求項１〜５のいずれか一項に記載のアプリケータ。
【請求項７】
前記らせん状アプリケータ表面が、前記複数の突起部の少なくとも１つとは異なる色を有する、請求項１〜６のいずれか一項に記載のアプリケータ。
【請求項８】
前記ヘッドが、複数のらせん状アプリケータ表面を含み、前記らせん状アプリケータ表面の少なくとも１つが、前記複数のらせん状アプリケータ表面の他のものとは異なる色を有する、請求項１〜７のいずれか一項に記載のアプリケータ。
【請求項９】
前記複数の突起部が、前記アプリケータ表面の一区分に一体的に、かつ連続的に取り付けられ、それによって第１区分における前記ヘッドの輪郭が、第１断面積を有し、第２区分における前記ヘッドの輪郭が、第２断面積を有する、請求項１〜８のいずれか一項に記載のアプリケータ。
【請求項１０】
前記第１区分の有効ピッチが第１の値であり、前記第２区分の有効ピッチが、前記第１の値と異なる第２の値である、請求項９に記載のアプリケータ。
【請求項１１】
前記ハンドルに対して前記らせん状アプリケータ表面を自動的に動かすために、前記らせん状アプリケータ表面に連結される駆動部を含む、請求項１〜１０のいずれか一項に記載のアプリケータ。
【請求項１２】
調節機構を含み、
前記調節機構が、
前記らせん状アプリケータ表面の内部の前記中空の空間内に配置された棒と、
前記棒をその軸の周りで運動させるべく前記ハンドルに回転可能に配置された制御表面とを含み、
前記らせん状アプリケータ表面の一端が前記棒の第１端部に取り付けられ、前記らせん状アプリケータ表面の他端が前記ハンドルに連結され、
前記棒の、その軸の周りでの運動により、前記らせん状アプリケータ表面のピッチ及び直径が変化させられる、請求項１〜１１のいずれか一項に記載のアプリケータ。
【発明の詳細な説明】
【技術分野】
【０００１】
本開示は、らせん状アプリケータ表面を備えるアプリケータ、例えば、化粧品製品の塗布に使用するためのらせん状アプリケータ表面を備える化粧品アプリケータを対象としている。
【背景技術】
【０００２】
様々な種類のアプリケータが当該技術分野において既知である。マスカラ又はヘアカラー製品などの製品を、睫毛及び頭髪などのケラチン性繊維などの標的物（target material）に塗布するためのブラシ又は棒は、一般的に、ハンドルに取り付けられた第１端部を有する茎部を備えるアプリケータヘッドを含む。アプリケータヘッドはまた、茎部に連結された１つ以上のアプリケータ要素を含む。アプリケータ要素は、剛毛（例えば、撚り合わせたワイヤーブラシの）、成形された繊維、成形された表面などの形態であってよい。使用中、アプリケータ要素は製品を付加されて標的物に適用され、製品がアプリケータ要素の外側から標的物に移送される。
【０００３】
更に、従来のアプリケータは典型的には、ハンドル、又は他の部材の操作を必要とし、多くの場合、睫毛などの標的物にアプリケータを繰り返し通して、各睫毛を製品で完全に、かつ均一にコーティングすると同時に睫毛が互いに分離するように維持又は促進する必要がある。睫毛全体をコーティングするため、例えば、ユーザーは、ブラシを垂直方向に動かして、睫毛全体が被覆されることを確保してもよい。それに加えて、ユーザーは、睫毛に塗られるマスカラの所望量に応じて、ブラシヘッドの異なる部分を睫毛と接触させるようにブラシを回転させてもよい。更にまた、ユーザーは、睫毛の分離を促進するため、及び／又は睫毛がより良好に被覆されることを確保するため、ブラシを水平方向に往復運動させてもよい。
【発明の概要】
【発明が解決しようとする課題】
【０００４】
したがって、製品のアプリケータから標的物への、例えばマスカラ又はヘアカラー製品のアプリケータ表面から睫毛又は頭髪への、移送を改善するシステム又は物品を提供することが望ましい場合がある。例えば、製品の、標的物への、厚く均等な塗布を提供するシステム又は物品を提供することが望ましい場合がある。同様に、標的物への望ましくない効果を極小化するシステム又は物品を提供することが望ましい場合がある。例えば、近接する睫毛の凝集を極小化するシステム又は物品を提供することが望ましい場合がある。別の実施例では、製品を正確で、かつ方向付けられた方法によって移送するシステム又は物品を提供することが望ましい場合がある。単純に、ユーザーの取り組みを促進し、一方で従来の技術の１つ以上の欠点を克服するシステム又は物品を提供することが望ましい場合がある。
【課題を解決するための手段】
【０００５】
本開示の態様では、アプリケータは、ハンドル及びハンドルに連結されたアプリケータヘッドを含む。アプリケータヘッドは少なくとも１つのらせん状アプリケータ表面を含み、少なくとも１つのらせん状アプリケータ表面は中空の空間の周囲に配置され、複数の突起部が、中空の空間に面する、少なくとも１つのらせん状アプリケータ表面の一区分にのみ取り付けられる。複数の突起部が、中空の空間内に延びる。
【０００６】
本開示の別の態様では、アプリケータはハンドル及びハンドルに連結されるアプリケータヘッドを含む。アプリケータヘッドは少なくとも１つのらせん状アプリケータ表面を含み、少なくとも１つのらせん状アプリケータ表面は中空の空間の周囲に配置され、複数の突起部が、中空の空間に面する、少なくとも１つのらせん状アプリケータ表面の一区分にのみ取り付けられる。複数の突起部は、少なくとも１つのらせん状アプリケータ表面に取り付けられる第１端部、及び中空の空間内に延びる第２端部を有する。
【０００７】
本開示の更に別の態様では、アプリケータは、ハンドル及びハンドルに連結されるアプリケータヘッドを含む。アプリケータヘッドは少なくとも１つのらせん状アプリケータ表面を含み、少なくとも１つのらせん状アプリケータ表面は中空の空間の周囲に配置され、複数の突起部が、少なくとも１つのらせん状アプリケータ表面の一区分に取り付けられる。複数の突起部はアプリケータ表面の一区分に一体的に、かつ連続的に取り付けられ、それによって第１区分におけるヘッドの輪郭が第１断面積を有し、第２区分におけるヘッドの輪郭が第２断面積を有する。
【図面の簡単な説明】
【０００８】
本明細書は、本発明と見なされる主題を特定して指摘し明確に請求する特許請求の範囲をもって結論とするが、本発明は、添付の図面と関連させた次の説明から更に理解が深まると考えられる。一部の図面は、他の要素をより明らかに示すため、選択された要素を省略することで簡略化されている場合がある。一部の図面におけるこうした要素の省略は、対応する書面による明細書の中で明確に記述されている場合を除き、代表的実施形態のいずれかにおける特定要素の有無を必ずしも示すものではない。いずれの図面も必ずしも縮尺どおりではない。
【図１】本発明による化粧品アプリケータの平面図。
【図１Ａ】図１のアプリケータの別の表面の平面図。
【図２】本開示による、自動化粧品アプリケータの平面図。
【図３】表面が両端で支持される、自動であってもなくてもよい、本開示による別の化粧品アプリケータの平面図。
【図４】表面が両端で支持される、自動であってもなくてもよい、本開示による更に別の化粧品アプリケータの平面図。
【図５Ａ】アプリケータ表面輪郭の断面図。
【図５Ｂ】アプリケータ表面輪郭の断面図。
【図５Ｃ】アプリケータ表面輪郭の断面図。
【図５Ｄ】アプリケータ表面輪郭の断面図。
【図５Ｅ】アプリケータ表面輪郭の断面図。
【図５Ｆ】アプリケータ表面輪郭の断面図。
【図５Ｇ】アプリケータ表面輪郭の断面図。
【図５Ｈ】アプリケータ表面輪郭の断面図。
【図６】図１及び図２に例示されるものよりも大きなコイル直径を有する、コイルの形態のアプリケータ表面の平面図。
【図７】円錐の形状のコイルの形態のアプリケータ表面の拡大平面図。
【図８】バレル形状のコイルの形態のアプリケータ表面の拡大平面図。
【図９】砂時計の形状のコイルの形態のアプリケータ表面の拡大平面図。
【図１０】図１及び図２に例示されるものよりも大きな、一定のピッチを有するコイルの形態のアプリケータ表面の拡大平面図。
【図１１】図１及び図２に例示されるものよりも小さな、一定のピッチを有するコイルの形態のアプリケータ表面の拡大平面図。
【図１２Ａ】表面が第１ピッチを有する、表面のピッチを調節するための調節機構を備えるアプリケータの部分拡大図。
【図１２Ｂ】表面が第１ピッチよりも小さな第２ピッチを有する、図１２Ａのアプリケータの部分拡大図。
【図１３Ａ】表面が第１ピッチを有する、表面のピッチを調節するための別の調節機構を備えるアプリケータの部分拡大図。
【図１３Ｂ】表面が第１ピッチよりも小さな第２ピッチを有する、図１３Ａのアプリケータの部分拡大図。
【図１４】異なるピッチを有するコイルの形態のアプリケータ表面の拡大平面図。
【図１５】別々の軸を有する表面の第１区域及び第２区域を有する、異なるピッチを有するコイルの形態のアプリケータ表面の斜視図。
【図１６】異なるピッチを有するコイルの形態の別のアプリケータ表面の斜視図。
【図１７】異なる掌性の区分を有するコイルの形態のアプリケータ表面の平面図。
【図１８Ａ】軸の少なくとも１つが同心である、複数の回転軸を有するアプリケータ表面の斜視図。
【図１８Ｂ】図１８Ａのアプリケータ表面の端面図。
【図１９Ａ】軸がオフセットされている、複数の回転軸を有するアプリケータ表面の斜視図。
【図１９Ｂ】図１９Ａのアプリケータ表面の端面図。
【図２０】同じコイル直径を有する、複数のらせんを有するアプリケータ表面の斜視図。
【図２１】異なるコイル直径を有する、複数のらせんを有するアプリケータ表面の斜視図。
【図２２】らせんの少なくとも１つが、他のらせんと異なる色を有する、複数のらせんを有するアプリケータ表面の斜視図。
【図２３】本開示によってアプリケータ表面に取り付けられた、複数の繊維を含む、複数の突起部の実施形態の部分平面図。
【図２４】本発明によるアプリケータ表面の表面領域の、第１区分には取り付けられているが、第２区分には取り付けられていない、図２３と同様の複数の繊維を含む、複数の突起部の部分平面図。
【図２５】本発明によるアプリケータ表面の全表面領域に取り付けられた、複数のノブ状突起部を含む、複数の突起部の別の実施形態の部分平面図。
【図２６】棒状突起部が中空の空間内に延びている、中空の空間を有するアプリケータ表面に取り付けられた複数の棒状突起部を含む、複数の突起部の斜視図。
【図２７】プレート状突起部が中空の空間内に延びている、中空の空間を有するアプリケータ表面に取り付けられた複数のプレート状突起部を含む、複数の突起部の部分斜視図。
【図２８】第１断面積を有する第１区域、及び第２断面積を有する第２区域を有する、らせん状アプリケータヘッドの斜視図。
【図２９】それらが取り付けられる表面の色とは異なる色を有する、１つ以上の突起部を有する、アプリケータ表面の斜視図。
【図３０Ａ】第１の真っ直ぐな状態にある表面を有する、アプリケータ表面の特性を変化させるための調節機構の平面図。
【図３０Ｂ】第２の湾曲した状態にある表面を有する、図３０Ａの調節機構の平面図。
【図３１Ａ】第１の弛緩した状態にある表面を有する、アプリケータ表面の特性を変化させるための別の調節機構の平面図。
【図３１Ｂ】第２の変更された状態にある表面を有する、図３１Ａの調節機構の平面図。
【図３１Ｃ】第２の変更された状態にある表面を有する、図３１Ａ〜Ｂに例示されるものに関する、別の調節機構の平面図。
【図３２Ａ】調節機構を見せるために一区分が取り除かれている、第１の弛緩した状態にあるアプリケータ表面の特性を変化させるための更に別の調節機構の平面図。
【図３２Ｂ】第１の弛緩した状態にある表面を有する、図３２Ａの調節機構及び表面の、部分拡大断面図。
【図３２Ｃ】第２の別の状態にある表面を有する、図３２Ａの調節機構の部分拡大断面図。
【図３３】第１の弛緩した状態にある表面を有する、アプリケータ表面の特性を変化させるための追加的な調節機構の部分拡大断面図。
【図３４】第１の弛緩した状態にある表面を有する、アプリケータ表面の特性を変化させるための更に別の調節機構の部分拡大断面図。
【図３５Ａ】アプリケータ表面を通過する標的物の動きを分離するために、アプリケータ表面によって画定される中空空間の内部に配置される棒を有するアプリケータ表面の部分平面図。
【図３５Ｂ】図３５Ａのアプリケータ表面及び棒の構成の端面図。
【図３６】その表面が上記の調節機構を有しても有さなくてもよい、複数のらせん状アプリケータ表面ヘッドの部分概略図。
【図３７】化粧品製品の供給源と連通する中空の内部空間、及び化粧品製品がこれを通じて表面から出る、少なくとも１つの出口ポートを有する表面を備える、化粧品アプリケータの部分平面図。
【図３８】固体、又は半固体の化粧品製品の棒状突起部を含む、化粧品製品の供給源と組み合わせた、化粧品アプリケータの部分平面図。
【図３９】少なくとも部分的に化粧品製品に浸された吸収性材料を含む、化粧品製品の供給源と組み合わされた、化粧品アプリケータの部分平面図。
【図４０】少なくとも部分的に化粧品製品を充填され、化粧品製品がこれを通じて容器から出る少なくとも１つの出口ポートを有する、容器を含む、化粧品製品の供給源と組み合わされた、化粧品アプリケータの部分平面図。
【図４１Ａ】少なくとも部分的に化粧品製品を充填され、塗布区域への製品のためのキャリアとしてらせん状アプリケータ表面を利用する容器を含む、化粧品製品の供給源と組み合わされた、化粧品アプリケータの部分断面図。
【図４１Ｂ】４１Ａのアプリケータ及び表面と共に使用するための、化粧品アプリケータ表面の、部分拡大斜視図。
【図４２】アプリケータヘッドの一部が内部に配置された、本開示によるワイパーの部分断面図。
【図４３】アプリケータヘッドの一部が内部に配置され、同様に断面図で例示された、本開示によるワイパーの部分断面図。
【図４４】本開示による、ワイパー及びコアの構成の部分断面図。
【図４５Ａ】図４４のコアの別の実施形態の端面図。
【図４５Ｂ】図４４のコアの別の実施形態の端面図。
【図４５Ｃ】図４４のコアの別の実施形態の端面図。
【図４５Ｄ】図４４のコアの別の実施形態の平面図。
【図４５Ｅ】図４４のコアの別の実施形態の平面図。
【図４６】ホルダーと組み合わされた化粧品アプリケータの分解図。
【図４７】ホルダーと組み合わされた、自動化粧品アプリケータの分解図。
【発明を実施するための形態】
【０００９】
本開示は、らせん状アプリケータヘッドを有する様々な化粧品アプリケータ、及びこれらのアプリケータを組み込んだシステムを詳述する。図１〜４は、一般的に、アプリケータの変異形を紹介する、一方で、図５〜３６は、らせん状アプリケータ表面の、様々な別の実施形態を例示する。図３７〜４５は、アプリケータと共に使用される、化粧品製品の供給源及びワイパーと組み合わされた、らせん状アプリケータ表面を備えるアプリケータの様々な実施例を例示する。図４６及び図４７は、ボトル又はホルダーと組み合わされた、図１及び図２のものと同様のアプリケータを例示する。全体を通じ、様々な実施形態の同様の機構が、同様の様式で付番されるような、付番の慣例が適用されている。
【００１０】
実施例とは無関係に、らせん状アプリケータ表面の使用は、従来的なアプリケータヘッドに対して、１つ以上の利点を有し得るものと考えられる。いくつかの状況においては、らせん状アプリケータヘッドは、従来のアプリケータヘッドと共に使用する際に、同じ塗布運動を使用する間、睫毛を「押す」力よりも「引っ張り」力に晒し得るものと考えられる。加えて、らせん状アプリケータは、標的物が、アプリケータ表面の内側、又はアプリケータ表面の内側及び外側の製品と接触するすることを可能にする場合がある。したがって、アプリケータヘッドを通る睫毛の運動が、従来のアプリケータヘッドによるよりも、単一の塗布運動において、アプリケータ表面のより多くの表面積を、睫毛の異なる面上に暴露し得るものと考えられる。らせん状アプリケータの丸い縁部は、剛毛、歯、又はいくつかの種類の突出部よりもより安全なアプリケータ表面として感知されることがある（かつ、そうであることがある）ものと考えられる。この点において、従来のアプリケータヘッドで可能であり得るよりも、より高い速度、又は強度でらせん状アプリケータヘッドを操作することが可能である場合がある。
【００１１】
定義
用語「化粧品アプリケータ」又は「アプリケータ」は、マスカラなどの化粧品製品を睫毛などのケラチン性物質に塗布するために使用される、機器、装置、又はシステムを指すことがある。しかしながら、アプリケータは、製品を標的物に、例えばパーソナルケア製品を毛髪などのケラチン性物質に塗布するために使用される、機器、装置、又はシステムをより一般的に指すことがある。
【００１２】
用語「アプリケータ表面」は、マスカラなどの化粧品製品などの製品がそこから、睫毛などのケラチン性物質などの標的物に移送されるような構造体を指すことがある。
【００１３】
用語「アプリケータヘッド」は、全体又は部分における、１つ以上のアプリケータ表面を指すことがあり、また、アプリケータ表面（１つ又は複数）を支持する構造体を指すこともある。
【００１４】
用語「取り付けられる」とは、要素を互いに接合するために好適な任意の方法により、接着する、締結する、結合する、埋め込む、成形することなどによって、要素が接続されるか又は一体化されることを指す。取り付けはまた、圧力嵌め又は摩擦嵌めを含む。接着剤結合、機械的締結などを含む、要素を互いに取り付けるための多くの好適な方法が周知である。そのような取り付け方法を使用して、要素が特定の範囲全体にわたって連続的又は断続的に互いに取り付けられてもよい。
【００１５】
用語「有彩色」とは、約１０を超える明度、約（２２−０．２２Ｌ）を超える彩度（式中、Ｌは明度である）、及び約０〜約３６０の色相値を有する色を指す。
【００１６】
用語「彩度」（「Ｃab*」又は「Ｃ」）は、色空間の中心から、測定された色までの距離ベクトルを指し、これは、色の飽和度又は強度を指定し、色の強度を鮮明さ（即ち、鮮やかさ対くすみ度合い）と区別することを意図される。色の彩度が低いほど、即ち強度が低いほど、色は灰色に近くなる。
【００１７】
用語「対比色」は、有彩色と比較される無彩色を指し、「対比色」はまた、４５度を超える、具体的には７５度を超える、より具体的に９０度を超える色相差を有する少なくとも２つの有彩色を指すことがあり、「対比色」はまた、透明又は半透明の物体と比較した有彩色又は無彩色を指すことがあり、「対比色」は、デルタＬが３を超える、又はデルタＣが５を超える場合を指すことがある。
【００１８】
用語「連結される」は、要素を別の要素に直接取り付けることによって、要素が他方の要素に直接固定される構成、並びに、要素を中間部材（１つ又は複数）に取り付け、それが次に別の要素に取り付けられることによって、要素が他方の要素に間接的に固定される構成を指す。
【００１９】
用語「配置される」は、要素（１つ又は複数）が、他の要素との一体構造として、又は他の要素に連結された別個の要素として、特定の場所又は位置に存在することを意味するために使用される。
【００２０】
用語「駆動部」は、駆動部に連結されたアプリケータヘッド又はアプリケータ表面などの被駆動要素を動かす機器、装置、又はシステムを指す。駆動部は、モーター、及びモーターの電源を包含してもよい。
【００２１】
用語「有効直径」は、横断面に関する測定値を指す。円形の横断面に関し、有効直径は、横断面の直径である。非円形の横断面では、有効直径を説明することはより困難であり得る。しかしながら、有効直径を算出し得る１つの方法は、横断面の面積を４倍し、横断面の周囲の長さで割るものである。
【００２２】
用語「有効ピッチ」又は「ピッチ」は、らせん表面の近接する点の間の空間にわたる距離を指す。らせん状表面が単一の軸を備える単一のらせんである場合、ピッチは、表面の近接する部分又は旋回の、向かい合う表面の間の距離として説明することができる。あるいは、らせん状表面が複数のらせん、又は複数の軸を有する場合、ピッチは、異なるらせんの隣接する旋回、又は異なる軸に関する同じらせんの近接する旋回の、向かい合う表面の間の距離を指すことがある。
【００２３】
用語「色相値」（「ｈab」又は「ｈ」）は、赤色、黄色、又は青色などの基本色を指す。色相は、互いに９０°離間する赤色、黄色、緑色、及び青色で、平面内で画定される。色相は、その平面における角度である。
【００２４】
用語「ＬＣｈ色空間」は、色測定の慣例であり、ここでＬ値、Ｃ値、及びｈ値は、極性成分を使用して三次元空間内にプロットすることができ、ＣＩＥ  Ｌ*Ｃab*ｈab色空間系において画定される際、Ｌは軸、ｈは角度、及びＣはｈ角度に沿ったＬ軸からの距離である。測定値は、制限としてではなく、２°、又は１０°オブザーバーのいずれかを備える光源として、Ａ、Ｄ５０、Ｄ５５、Ｄ６５、Ｆ２、Ｆ７、Ｆ１１、又はＴＬ８４を使用して、例として測定された。可能な測定装置としては、オーシャンオプティクス（Ocean Optics'）ＵＳＢ４０００光ファイバー分光光度計、又は球体分光光度計を一体化するデータカラーマイクロフラッシュ（Datacolor Microflash）が挙げられるがこれらに限定されるべきではない。
【００２５】
用語「明度」（「Ｌ*」又は「Ｌ」）は、色の明るさから暗さの知覚を指す。黒は低い明度を有し（理論的に０に近い）、白は高い明度を有する。
【００２６】
用語「適合色」は、４０度未満、具体的には３０度未満、より具体的に２０度未満の色相差を有する少なくとも２つの有彩色、又は無彩色を指す。
【００２７】
用語「無彩色」は、約１０未満の明度を有する色を指し、「無彩色」はまた、約１０を超える明度、及び約（２２−０．２２Ｌ）（式中、Ｌは明度）未満の彩度を有する色合いを指すことがある。
【００２８】
これらの用語は、本明細書の残りの部分で、追加的な用語で定義され得る。
【００２９】
化粧品アプリケータ
図１に例示されるように、本開示による化粧品アプリケータ１００は、ハンドル１０２、並びにハンドル１０２に取り付けられる第１端部１０６、及び第２端部１０８を有する茎部１０４を含み得る。アプリケータ１００は、また、図１又は図１Ａに例示され得るアプリケータ表面１１２を画定するアプリケータヘッド１１０を含んでもよい。表面１１２は、茎部１０４の第２端部１０８に取り付けられてもよく、その結果、アプリケータ表面１１２の第１端部１１４がこれによってハンドル１０２に連結され、アプリケータ表面１１２の第２端部１１６は自由である。第２端部１１６は、キャップ１１８で終端してもよく、このキャップ１１８はアプリケータ表面１１２と一体であってもよく、又は別の方法でこれに取り付けられてもよい。キャップ１１８は、拭き取り表面と協働して、表面１１２の端部から製品を取り除き、製品の「テール（tail）」の形成を防ぐ表面としてなどを含む、様々な機能を有し得る。図１のキャップ１１８では半球の形状が例示されているが、形状は変化し得る。
【００３０】
図１に図示されるように、アプリケータ表面１１２は、ハンドル１０２への空間的関係において保持されるが、表面１１２は、相対運動をしないか、又は制限される。しかしながら、本開示によるアプリケータは、このように制限されない。
【００３１】
図２に例示されるように、本開示による自動化粧品アプリケータ２００はまた、ハンドル２０２、並びにハンドル２０２と連結される第１端部２０６、及び第２端部２０８を有する茎部２０４を含み得る。アプリケータ２００はまた、アプリケータヘッド２１０、及びアプリケータ表面２１２を含んでもよい。表面１１２と同様に、表面２１２は、茎部２０４の第２端部２０８に取り付けられてもよく、その結果、アプリケータ表面２１２の第１端部２１４がこれによってハンドル２０２に連結され、アプリケータ表面２１２の第２端部２１６は自由である。キャップ２１８は、アプリケータ表面２１２の第２端部２１６に取り付けられる。
【００３２】
アプリケータ２００は、アプリケータ１００とは異なり、駆動部２２０も含む。あらゆる状態において、又は一定の動作状態においてのみ、駆動部２２０は、ハンドル２０２に対して全体的に又は部分的にアプリケータヘッド２１０を動かし得る。
【００３３】
即ち、一定の動作状態において、駆動部２２０はアプリケータヘッド２１０から係合離脱されるか、及び／又は分離され、その結果アプリケータヘッド２１０がハンドル２０２に対して相対運動をしないか、又は制限されることがあり、一方で他の状態では、駆動部２２０がヘッド２１０に係合されるか、及び／又は連結されて、ハンドル２０２に対してヘッド２１０を動かすことがある。あるいは、駆動部２２０及び／又はヘッド２１０は、一定の動作状態で運動しないように、固定されてもよい。このような別の実施形態に関し、駆動部２２０又はヘッド２１０は、スイッチなどの要素によって全体的に又は部分的に係合されてもよく、これは、ヘッド２１０とハンドル２０２の間に相対運動が生じないか、制限された相対運動のみが生じるように、駆動部２２０又はヘッド２１０をハンドル２０２に固定して連結する。
【００３４】
ヘッド２１０の相対運動は、様々な形態をとり得る。いくつかの実施形態では、ヘッド２１０は、ハンドル２０２に対して軸の周囲で全体的に、又は部分的に回転してもよい。ヘッド２１０の回転軸は、表面２１２の１つ以上の軸と対応しても、しなくてもよく、複数軸表面２１２は、以下でより詳細に説明される。他の実施形態では、ヘッド２１０は、ハンドル２０２に対して、軸に沿って全体的に、又は部分的に並進運動してもよい。更に他の実施形態では、ヘッド２１０は、全体的に又は部分的に振動してもよい。駆動部２２０は、ハンドル２０２に対して、回転、並進、及び振動運動の任意の組み合わせによってヘッド２１０を動かしてもよく、この運動は一定の速度、振動数、振幅、持続時間の任意の１つ若しくは全てにおいて生じてもよく、又は速度、振動数、振幅の任意の１つ若しくは全てにおいて生じてもよく、持続時間が変化してもよいことが認識される。例えば、米国特許出願第１１／１４３，１７６号を参照されたい。
【００３５】
駆動部２２０の構成要素に関し、例示されるように駆動部２２０は作動装置２２２、電源２２４、及び伝送器２２６を含み得ることが認識される。伝送器２２６は、作動装置２２２を茎部２０４に連結し、そうすることによって、駆動部２２０をアプリケータヘッド２１０、つまりはアプリケータ表面２１２に連結する。しかしながら、伝送器は任意であり、アプリケータ２００のいくつかの実施形態では、省略されてもよい。
【００３６】
作動装置２２２の構造及び動作は、ヘッド２１０とハンドル２０２の間で達成される望ましい運動によって、変化し得る。いくつかの実施形態では、作動装置２２２は、モーターの形態であってもよい。モーターは、例えば、弾性部材、ばね又はゴムバンドの形態の、潜在的機械的エネルギー源を備えた機械的モーターであってもよい。あるいは、例示されるように、モーター２２２は電動モーターであってもよく、その場合、駆動部２２０はまた、モーター２２２に連結されて必要な電圧及び電流を供給する、例えば電池などの形態の電源２２４も包含してもよい。モーター２２２が電動モーターである場合、電圧及び電流は更に、モーター２２２が例えば電気コンセントを介して送電線に連結される実施形態など、ハンドル２０２の外部にある電源によって供給されてもよい。
【００３７】
特定の実施形態によれば、駆動回路がモーター２２２及び電源２２４に連結されて、モーター２２２の動作を制御してもよい。駆動回路は、モーター２２２の電源を入れたり切ったりするか、又はモーター２２２を電源２２４と連結及び分離するためのスイッチ又は制御表面２２８を含んでもよい。スイッチ又は制御表面２２８はまた、若しくは代わりに、駆動部の動作のモードを変化させてもよい。例えば、スイッチ又は制御表面２２８の作動は、モーター２２２の回転方向を変えてもよい。
【００３８】
伝送器２２６に関し、その構造及び動作はまた、達成される望ましい運動によって変化してもよい。実際に、伝送器２２６は、アプリケータヘッド２１０に連結する前に、モーター２２２の運動を、全体的に又は部分的に変換してもよい。例えば、モーター２２２（又は、より具体的にはそのシャフト２３０）の回転運動は、少なくとも部分的に、並進運動に変換されてもよい。それに加えて、又はその代わりに、伝送器２２６は、モーター２２２の速度をアプリケータヘッド２１０に適した回転速度に低減してもよい。上記のように、いくつかの実施形態では、モーターシャフト２３０はアプリケータヘッド２１０の望ましい回転速度よりも速く回転しないため、伝送器２２６は省略されてもよい。他の実施形態では、モーター２２２は可変の運動又は速度を提供することができるため、伝送器２２６は必須ではないことがある。
【００３９】
駆動部２２０は、作動装置／モーター２２２、電源２２４、及び伝送器２２６以外の他の要素を含んでもよいことが更に認識される。例えば、駆動部は、アプリケータヘッドによって適用されるトルクが、既定の許容可能なトルクを超えないように、トルクリミッターを含み、睫毛に対して、又はこれを介して適用される力を制限してもよい。トルクリミッターは、モーター２２２、又は伝送器２２６の中に組み込まれてもよく、駆動部２２０の要素（例えばモーター２２２と伝送器２２６）の間に位置してもよく、アプリケータ２００の他の要素の間に組み込まれるか、又は位置してもよい。米国特許出願第１１／６７７，３２６号を参照されたい。駆動部２００への他の追加が、当業者によって理解される。
【００４０】
本開示によるアプリケータは、図１及び図２に例示されるもののみに限定されないことがまた認識される。例えば、図３はアプリケータ３００を例示し、表面３１２は自由である第２端部３１６を有さない。代わりに、図３に例示されるアプリケータ３００の表面３１２の両端３１４、３１６は、支持構造体３１８に取り付けられる。特に、表面３１２は、第１端部３１４、及び第２端部３１６において、第１端部３１７及び第２端部３１９を有する支持体３１８に取り付けられてもよく、第１端部３１４は、支持体３１８の第１端部３１７に取り付けられ、第２端部３１６は、支持体３１８の第２端部３１９に取り付けられる。アプリケータ１００、２００と同様に、アプリケータ３００の表面３１２は、ハンドル３０２の長手方向と少なくとも平行な軸３４０を有する。アプリケータ３００は、例えば図１のアプリケータ１００のように、固定軸３４０を有してもよく、又はアプリケータ３００は、表面３１２がその軸３４０の周りで、これに沿って、又はこれに対して、可動であるように、自動化されてもよい。
【００４１】
しかしながら、表面が、ハンドルの長手方向軸と、同心でないまでも平行な長手方向軸を有する更に他の実施形態が可能であり、本開示によるアプリケータは、このように制限されない。図４は、例えば、図３のものと同様のアプリケータ４００を例示し、ここでヘッド４１２は、ヨーク４１８の対向するアーム４１７と４１９の間に配置される。しかしながら、図３の支持構造３１８とは異なり、ヨーク４１８は、アプリケータ表面４１２の長手方向軸４４０が、アプリケータ４００のハンドル４０２の長手方向軸と実質的に垂直に位置合わせされるように、向けられている。長手方向軸４４０及び、ハンドル４０２の長手方向軸は、例示されるように、実質的に垂直であるが、２つの軸の間の角度は変化し得ることがまた認識される。アプリケータ４００は、例えば図１のアプリケータ１００のように、固定軸４４０を有してもよく、又はアプリケータ４００は、表面４１２がその軸４４０の周りで、これに沿って、又はこれに対して、可動であるように、自動化されてもよい。
【００４２】
らせん状アプリケータヘッド
図１〜４のアプリケータ１００、２００、３００、４００のいずれかを考慮すると、アプリケータはらせん状アプリケータ表面を備える、らせん状アプリケータヘッドを含むことが認識される。即ち、アプリケータ表面は、いくつかの実施形態ではばね又はコイルのように、他の実施形態ではねじのように見える、らせん状の形状を有してもよい。例示される実施形態により、アプリケータ表面１００、２００、３００、４００はまた、中空の長手方向軸１４０、２４０、３４０、４４０を有する。表面１１２、２１２、３１２、４１２は、この軸１４０、２４０、３４０、４４０の周りで少なくとも１つの旋回を達成する。
【００４３】
アプリケータヘッド及びアプリケータ表面に関し、多数の変異形が可能であることがまた認識される。可能な限り変異形の代表的な実施例を記載するための試みがなされてきた。これらの代表的な実施形態の多くは、変異形のより広い分類を代表し、これらの分類は本明細書において記載される他の実施形態及び他の分類と組み合わされてもよい。この目的のため、特定のバリエーションが特定の実施形態との関連において記載されるということは、そのバリエーションを記載される実施形態のみに限定することを意図するのではなく、むしろ、このバリエーションは、本明細書に開示される他の実施形態との関連において記載されるものと組み合わされ得る。
【００４４】
アプリケータヘッド及びアプリケータ表面が変化し得る、１つの方法は、ヘッドを形成し、表面を画定する要素の断面輪郭に関する。断面輪郭の有効直径の値の範囲は、アプリケータが共に使用され得る、意図される標的物によって変化し得ることが認識され得る。したがって、本開示の実施形態により、アプリケータ表面の断面輪郭は、約０．１ｍｍ〜５．０ｍｍの間で変化する有効直径を有してもよく、上限での実施形態は例えば頭髪での使用のためである。標的物が睫毛であるいくつかの実施形態では、断面輪郭は約０．１ｍｍ〜約３．５ｍｍ、又は更に約２．０ｍｍで変化する有効直径を有し得る。実際に、いくつかの実施形態によると、有効直径は約０．１５ｍｍ〜約０．８ｍｍで変化し得る。
【００４５】
様々な、このような断面輪郭が図５Ａ〜Ｅで例示される。図５Ａ〜Ｅの輪郭は、多くの異なる方法で分類され得るが、これらのいずれも、他の可能な分類を排除することはない。例えば、輪郭のいくつかは円形であり、一方で他のものは非円形である。実施形態のいくつかは中実であり、一方で他のものは中空である。中空であるこれらの実施形態であっても、中実の外壁を備え中空の内部空間を有するものと、中空の内部空間を有するが、外壁に内部空間へのアクセスを可能にする１つ以上の開口部を有するものとに分類され得る。これらの形状は組み合わされて、例えば第１区分が図５Ａの形状によって画定され、同時に第２区分が図５Ｂの形状によって画定されるような、更に広範な種類の形状を提供し得ることが認識される。
【００４６】
図５Ａに例示される輪郭は、円形、又は円形に近い形状を有することが意図される。対照的に、図５Ｂ及び図５Ｃの輪郭は、非円形である。図５Ｂの輪郭は楕円形であるが、円形度、又は平坦度の度合いは、長軸及び短軸の大きさによって、変化し得る。図５Ｃの輪郭は四辺形であり、また長辺及び短辺に沿った長さは、実施形態間で変化し得る。三角形、五角形、六角形など、更に他の多角形の形状が使用されてもよい。図５Ｂ及び図５Ｃの実施形態は、比較的に規則的な端部と共に示されたが、別の実施形態の端部は点に変えてもよく、したがって、鋭い、又はナイフの刃の外観を有する。十字形（図５Ｆ）、三日月形（図５Ｇ）、又は星形（図５Ｈ）など、更に他の輪郭が図５Ｆ〜Ｈに例示される。
【００４７】
中実の輪郭を有する、図５Ａ〜Ｃ及び５Ｆ〜Ｈに例示される輪郭とは対照的に、図５Ｄ及び図５Ｅの輪郭は、中空の内部空間を有する。図５Ｄは、全体の形状としては円形である、環状の横断面を有する輪郭を例示する。しかしながら、図５Ｄの横断面の外側表面、又は内側表面のいずれかは、代わりに別の形状（例えば、楕円形）であり得ることが認識される。図５Ｅは、Ｃ字形の横断面を有する輪郭を例示する。これに関し、中空の内部空間は、輪郭の外部の空間と連通している。
【００４８】
他の輪郭が可能である。例えば、例示される様々な実施形態の表面は、均一な断面輪郭を有するが、これは、本開示の要件ではないことが認識される。例えば、表面は、一端から他端の間で変化する不均一な断面輪郭を有することができる。例えば、輪郭は、ある場所では円形であり、他の場所では楕円形であることができる。その上、表面は相対する端部の間で中実でない輪郭を有することができ、輪郭中に空隙が形成されて、均一（例えば、ジグザグパターン）又は無作為のいずれかである不規則な外観を提供し得る。
【００４９】
また、装置又は要素が、図５Ｄなどの実施形態で画定される中空の空間内に配置されてもよいことが認識される。例えば、中空の空間内に加熱要素が配置されて、アプリケータ表面の温度を上げてもよい。同様に、中空の空間内に冷却材が配置されて、アプリケータ表面の温度を下げてもよい。中空の空間内に１つ以上のワイヤーが配置されてもよく、このワイヤーは、アプリケータ表面上の電荷を変化させるため、又は様々な強度及び／又は極性の磁場を提供するために使用され得る。２つ以上のらせん状アプリケータ表面を含む実施形態では、以下でより詳細に説明されるように、らせん状表面は帯電して異なる極性の電荷を有してもよく、この電荷は製品の表面への塗布、又はその表面からの移送を制限又は案内するために使用され得る。
【００５０】
ヘッド及び表面が変化し得る別の方法は、表面の断面輪郭の有効直径とは対照的に、全体的であるか、部分的であるかを問わず、ヘッド又は表面の直径に関する。例えば、図１のアプリケータ表面１１２に関し、第１距離ｄは、表面１１２の長手方向軸１４０を横断して画定されることに留意する。距離ｄは、本明細書において、表面１１２の有効直径と称されることがある。本明細書において記載される表面の多くがコイルであることを考慮すると、これはまた、有効コイル直径と称されることもある。
【００５１】
また、表面の有効直径の値の範囲は、アプリケータが共に使用され得る、意図される標的物によって変化し得ることが認識され得る。その結果、有効直径は、約２ｍｍ〜約４０ｍｍで変化してもよく、上限の直径は例えば頭髪で使用するためである。睫毛での使用を意図される、本開示の他の実施形態では、有効表面直径は約２ｍｍ〜約１５ｍｍで変化し得る。いくつかの実施形態では、有効表面直径は約４ｍｍ〜約９ｍｍで変化し得る。
【００５２】
睫毛にマスカラを塗布する場合、表面直径は、より広い範囲の値にわたって変化し得る。表面直径は、睫毛の生理、睫毛の量の増加の望ましい度合い、及び製品効果の消費者による知覚が挙げられるがこれらに限定されない理由に対処するために、変化し得る。例えば、小さなアプリケータは目の周辺の端の領域での使用のために利点を有することがあり、一方で大きなアプリケータはその表面により多くのマスカラ製品を配置することができ、したがってユーザーの睫毛に移送するためにより多くの製品を提供することができる。消費者の知覚に関し、例えば睫毛の少ない消費者は、特に大きな直径のアプリケータの使用を望まないことがあり、逆もまた同様である。加えて、アプリケータの大きさ及び形状は、消費者によって、アプリケータの利益の象徴として見なされ得る。長いらせん状表面は長さの利益を伝えることがあり、幅の広いらせん状表面は量の増加の利益を伝えることがあり、表面の隣接する部分の間の間隔が狭いらせん状表面は、睫毛を分離させる利益を伝えることがある。異なる大きさ／形状の表面は、異なる消費者に対し、異なる作用を有することがある。
【００５３】
図１〜４に例示される、代表的な表面１１２、２１２、３１２、４１２に関し、表面１１２、２１２が均一の直径を有することが認識される。コイルの表面の一端は、コイルの表面の他端と同じ直径を有し、相対する端部の間のコイルの実質的に全部が同じ直径を有する。表面はしたがって、実質的に円筒形の形状を有する。当然ながら、直径が端部間で均一であったとしても、本開示によるらせん状アプリケータヘッドの全ての実施形態が、同じ直径を有さなければならないわけではなく、例えば、図６はやはりコイル直径Ｄに対して均一な表面６１２の実施形態を例示しているが、このコイル直径は図１及び図２に例示される直径ｄと同じではない。
【００５４】
更に、コイルの直径は、アプリケータ表面の一端からアプリケータ表面の他端まで同じ表面直径を有して均一である必要はないことが認識される。図７〜９は、端部間でコイル直径が変化する表面形状の様々な別の実施形態を例示している。これらの形状が組み合わされて、更に広範な種類の形状を提供し得ることが認識され、例えば、第１区分が図７の形状によって画定される一方で第２区分が図９の形状によって画定される。
【００５５】
図７の表面７１２、図８の表面８１２、図９の表面９１２は全て、より広い分類の表面の一種であり、ここで表面は表面の長手方向軸の長さに沿って変化する直径を有する。しかしながら、図７は、図８及び図９のものとは異なる種類の表面に属するものとして説明することもまたできる。
【００５６】
特に、図７の実施形態は、一端の直径が他端の直径よりも大きい表面の種類の一種として説明することができる。直径は、端部７１４から端部７１６で、最大から最小に変化するが、この順序は逆であってもよいことが認識される。更に、直径は、表面７１２が円錐形の形状を有するように変化するが、端部７１４と７１６の間のコイルの直径は、同様に他の様式で変化してもよいことが認識される。
【００５７】
図７の実施形態とは対照的に、図８及び図９の実施形態は、一端８１６、９１６の直径が、他端８１４、９１４の直径と実質的に同じである表面の分類の一種として記載され得る。しかしながら、相対する端部８１４と８１６、９１４と９１６の間の表面８１２、９１２の直径は、相対する端部８１４と８１６、９１４と９１６における表面の直径とは異なる。図８の実施形態では、端部８１４と８１６の間の表面８１２の直径は、相対する端部８１４と８１６における直径よりも大きく、その結果、表面８１２はバレル形状を有する。図９の実施形態では、端部９１４と９１６の間の表面９１２の直径は、相対する端部９１４と９１６における直径よりも小さく、その結果表面９１２は砂時計の形状を有する。
【００５８】
本開示による表面はまた、有効ピッチ又はピッチと称される、別の寸法によって変化し得る。ピッチｐは、図１の長手方向軸１４０に沿って画定される。本開示の実施形態により、ピッチは約０．３ｍｍ〜約１５．０ｍｍで変化してもよく、上限での実施形態は例えば頭髪での使用のためである。標的物が睫毛である場合、ピッチは約０．３ｍｍ〜約３．０ｍｍで変化し得る。実際に、いくつかの実施形態では、ピッチは約０．４ｍｍ〜約１．０ｍｍで変化し得る。表面のピッチは、実施形態間で変化してもよく、更に単一の実施形態の一端と他端の間で変化してもよい。
【００５９】
例えば、表面１１２は、均一のピッチを有する。表面１１２の連続的なコイル上の互いに面する点は、実質的に同一の距離で離間している。図１０に例示される表面１０１２の実施形態はまた、均一のピッチを有し、表面１０１２のピッチは、図１に例示されるものよりも著しく大きい。睫毛の塗布の場合、より大きなピッチの表面は、より多数の睫毛を互いに集める可能性を提供し、これによって睫毛の見かけの量を増すことがあると考えられる。対照的に、図１１に例示される表面１１１２の実施形態は、図１に例示されるものよりも著しく小さい均一なピッチを有する。睫毛の塗布の場合、より小さなピッチの表面は、睫毛の間のより優れた分離の可能性を提供し、これによって睫毛の分離を増すものと考えられる。例えば、頭髪に染毛製品が塗布される、頭髪の塗布の場合、染毛製品が塗布される毛髪の数を調節するために、より大きな、又はより小さなピッチが使用されることがあり、これによって染色される毛髪ストランドの幅に影響するものと考えられる。
【００６０】
実際に、表面のピッチを調節可能にすることが更に可能であり得る。即ち、表面の第１端部と第２端部の間の距離を、例えば、調節機構の使用によって調節してもよい。調節機構は、ピッチを狭めてコイルを互いに引き寄せる、又はピッチを広げて分離させることを可能にする。
【００６１】
図１２Ａ及び図１２Ｂは、１つのこのようなシステムを例示する。アプリケータ表面１２１２は、その長手方向軸１２４０に沿って画定される中空の空間１２７０を有する。表面１２１２の一端１２１４が、茎部１２０４の端部１２０８に取り付けられるが、この茎部もまた中空である。表面１２１２の他端１２１６は、キャップ１２１８に取り付けられる。棒１２４２が、中空の茎部１２０４を通じて配置され、キャップ１２１８に取り付けられる機構がロッド１２４２の運動のためにハンドル１２０２に取り付けられ、この機構は単に、ボタンの形態の制御表面１２４４であってもよく、このボタンはロッド１２４２に取り付けられ、ハンドル１２０２に形成されるスロット１２４５に沿って移動する。図１２Ａの矢印の方向への制御表面１２４４の移動は、ハンドル１２０２の方向にキャップ１２１８を移動させ、これにより、図１２Ｂに例示されるように表面１２１２のピッチが狭まる。反対方向への移動によって、表面１２１２のピッチは広がる。
【００６２】
図１３Ａ及び１３Ｂは、別の調節機構を例示する。図１２Ａ及び１２Ｂの実施形態にように、図１３Ａ及び１３Ｂの調節機構は、表面１３１２の区分１３６０の内部に配置される棒１３４２を含み、この棒１３４２は、その軸に沿って一方向に、又は別の方向に移動され、これによって、これに取り付けられた１３６０のピッチが広がるか、又は狭まることがある。図１２Ａ及び図１２Ｂの実施形態のように、これはスロット１３４５内で移動する制御表面１３４４の使用によって達成されることがある。しかしながら、図１２Ａ及び図１２Ｂの実施形態とは異なり、図１３Ａ及び１３Ｂの調節機構は、棒１３４２がその中に引き込まれる、又は棒１３４２がそれから押し出される茎部１３０４を含んでもよく、この周囲にらせん状表面１３１２の第２区分１３６２が配置され得る。このようなアセンブリは、区分１３６２に対して区分１３６０の特性を変化させ、１つの区域に沿った分離、及び別の区域に沿った集結を可能にし得ることが認識される。加えて、茎部１３０４はまた、又は代わりに、ハンドル１３０２内に引き込まれ、又はこれから押し出されてもよいことが認識される。
【００６３】
同様の効果が、図３の実施形態又は図４の実施形態のいずれかのアームを互いに向って、あるいは互いから離れて動かすことによって達成することができる。
【００６４】
表面の長さに沿って可変ピッチを有することもまた可能である。例えば、図１４は、共通の長手方向軸１４４０に沿って互いに長手方向にずれている、２つの区分１４６０、１４６２を備える表面１４１２を例示し、区分は異なるピッチを有する。ユーザーは表面１４１２の２つの端部の間で切り替えて別の方法で体積を形成するか若しくは間隔を改善し、又は標的物（例えば、睫毛）の異なる部分に沿って異なる効果をもたらし得る。図１５は、やはり異なる区分を有する２つの区分１５６０、１５６２を有する表面１５１２を例示するが、ただし図１５の異なる区分は異なる長手方向軸をも有する。ユーザーは、ヘッド１５１０の一方の側と他方の側の間で切り替えて、別の方法で体積を形成するか、又は間隔を改善し得る。図１６は、アプリケータヘッドの長手方向軸の周りの単一の旋回の内部でコイルの数が変化する、アプリケータヘッドを例示する。アプリケータヘッド１６１０は、第１区分１６６０、及び第２区分１６６２を有し、コイルは第１区分１６６０内に１つのストランド、及び第２区分１６６２に２つのストランドを有する。例示されるように、第２区分１６６２のストランドは、第２区分１６６２内で、第１区分１６６０におけるよりも小さなピッチを画定するために使用し得る。
【００６５】
別のバリエーションとして、らせん状表面の掌性が改善される。らせんは、らせんの捩れの方向による掌性を有する。らせんは、右巻き又は左巻きであり得る。図１〜１６に例示される表面は単一の掌性を有する。しかしながら、他の実施形態では、らせん状表面は、アプリケータ表面の長さに沿った一定の点で掌性が逆になることがある。図１７は、右の掌性を有する第１区域、及び左の掌性を有する第２区域を有する表面１７１２を例示する。図１７に例示されるように、第１区域と第２区域は同等の長さであり得るが、これは全ての実施形態で妥当する必要はない。
【００６６】
より更なるバリエーションとして、らせん状表面の軸が改善されてもよい。図１〜１７の実施形態の場合のように、らせん状表面は単一の軸の周りで画定されてもよい。しかしながら、らせんが２つ以上の軸の周りで画定されることもまた可能である。例えば、図１８及び図１９は、複数の軸の周りで画定される、らせん状表面１８１２及び１９１２の実施形態を例示する。表面１８１２、１９１２の両方が少なくとも２つの軸の周りで画定されるが、表面１８１２は、３つ以上の軸の周りで画定される表面を有することもまた同様に可能であることを例示している。図１８に例示されるように、表面１８１２がその周囲に画定される軸の２つは同一線上にあるが、半径は異なる。第３軸は他の軸に対してオフセットされ、また同様に半径は異なる。図１９に例示されるように、表面１９１２がその周囲に画定される軸は、平行でありかつオフセットされ、また同様に半径が異なる。
【００６７】
ヘッドは、図１〜１９に例示されるように単一のらせんに制限されない。むしろ、ヘッド２０１０、２１１０、２２１０が図２０〜２２に例示され、ここでヘッド２０１０、２１１０、２２１０は、複数のらせん状表面２０１２、２１１２、２２１２を含む。図２０に例示されるように、ヘッド２０１０は、２つのらせん状表面２０１２を含み、らせん状表面２０１２は、共通の長手方向軸及び、共通の軸の周りの旋回の共通の半径を有する。しかしながら、らせん状表面２０１２は、表面２０１２のコイルが、他の表面２０１２のコイルによって互いに分離するように、長手方向軸に沿って交互に配置される。図２１に例示されるように、ヘッド２１１０は共通の長手方向軸を有するが、軸の周りの異なる半径の旋回を有する、２つのらせん状表面２１１２を含み、それによって１つのらせん状表面２１１２が、他の表面２１１２の内部に配置されるように見える。ヘッド２２１０は、らせんが共通の軸と共通の半径の旋回を有する点において、ヘッド２０１０と同様であるが、ヘッド２２１０は、ヘッド２２１０が８つのらせん表面２２１２を含む点において異なる。
【００６８】
加えて、１つ以上の突起部が、らせん状アプリケータヘッドのアプリケータ表面に取り付けられ得る。突起部は、追加的な表面積をもたらして、アプリケータを通る睫毛と触れ合う。追加の表面積は、化粧品製品がアプリケータヘッドを通る睫毛と接触する、更なる可能性をもたらすことがある。あるいは、突起部は、アプリケータヘッドを通る睫毛の形状に影響する更なる可能性をもたらし、例えば睫毛に更なるカールを付与することがある。更に、突起部は、アプリケータヘッド又は表面の特定の区分に化粧品製品を方向付けるか、又は制限するための、機構を提供することがある。
【００６９】
いずれにせよ、そのアプリケータ表面に取り付けられる複数の突起部を有するアプリケータヘッドの第１実施形態が、図２３に例示されている。アプリケータヘッドの一部のみが例示されるが、アプリケータヘッドの残部と、更にアプリケータの残部は、先に例示された実施形態のいずれかに従い得ることが理解される。アプリケータヘッド２３１０は、アプリケータ表面２３１２を画定する。表面２３１２は、これに取り付けられる複数の突起部２３５０を有する。本開示のこの実施形態では、複数の突起部２３５０は、複数の繊維を含んでもよく、この繊維は、表面２３１２に断続的に取り付けられてよい。結果として、繊維２３５０は一方の端部で表面２３１２に取り付けられてもよく、両端で表面２３１２に取り付けられてもよく、又は端部の中間の任意の点（１つ又は複数）であってもよい。この実施形態では、繊維は表面２３１２の全体にわたって取り付けられる。
【００７０】
図２４は、図２３のものと同様の実施形態を例示し、ここで複数の突起部２４５０は複数の繊維を含む。しかしながら、図２３の実施形態とは異なり、図２４の実施形態は、表面２４１２の一区分にのみ取り付けられる、複数の繊維を例示する。例示される実施形態では、表面２４１２は、例えばアプリケータヘッド２４１０の長手方向軸の方を向き得る第１区分２４６０、及び長手方向軸と反対側を向き得る第２区分２４６２を有する。例示されるように、複数の突起部２４１４は、第２区分２４６２ではなく、第１区分２４６０の表面２４１２に取り付けられる。
【００７１】
図２４による実施形態は、アプリケータ表面の突起部の１つの可能な構成を例示するのみであることが認識される。表面は、３つ以上の区分に分割することができ、各区分は、その上に異なる分布の突起部を有し得ることが認識される。更に、区分の配置構造は、長手方向軸に関連する必要はない。長手方向軸と平行なストリップの代わりに、複数の突起部が、バンド又はストリップで、長手方向軸と垂直な平面に取り付けられてもよい。格子状、又は杉綾模様構成の形状など、より複雑なパターンもまた使用されてよい。更に、突起部は、いくつかの実施形態では、無作為な、断続的なパターンで、断続的に配置されてもよい。加えて、パターンは、アプリケータヘッドの同じ区分の内部で組み合わされてもよく、又は、アプリケータヘッドの異なる区分において変化してもよい（例えば、表面の第１長手方向区分に沿ってストリップパターンであり、次に表面の第２長手方向区分に沿って縞状パターンであるなど）。
【００７２】
図２５〜２７は、図２３及び図２４に例示される繊維とは別の突起部を例示する。しかしながら、図２３及び図２４の実施形態に関してなされた説明は、図２５〜２７の実施形態に対して同様の効力で適用する。即ち、アプリケータヘッドの一部のみが例示されているが、アプリケータヘッドの残部は、先に例示された実施形態のいずれかによることが認識される。更に、アプリケータ表面の区分にわたって配置されるほぼ均一なパターンの突起部が例示されてきたが、突起部の分布は、上述の別の構成のいずれかを呈し得ることが認識される。加えて、突起部は、表面から外側に、あるいは、表面の内部に画定される中空の空間内へと内側に（図２５に例示されるように）延びてもよい。
【００７３】
図２５は、ノブ状の突起部２５５０が取り付けられる、アプリケータ表面２５１２を例示する。図２３の実施形態と同様に、ノブ状突起部２５５０は、表面２５１２の全体の周囲に配置されるものとして例示される。図２４と同様に、突起部はまた、表面の一区分にのみ配置され得ることが認識される。例示されるように、ノブ状突起部は、半球形の形状を有するように見えてもよいが、角錐又は円錐台形の形状など、他の形状が同様に使用されてもよいことが認識される。
【００７４】
図２６は、複数の棒状突起部２６５０が取り付けられるアプリケータ表面２６１２を備えるアプリケータヘッド２６１０を例示する。棒状突起部２６５０は、アプリケータヘッド２６１０の長手方向軸２６４０の方に面する、表面２６１２の区分２６６０にのみ取り付けられるものとして例示される。したがって、棒状突起部２６５０は、軸２６４０の方に面する、ヘッド２６１０の表面２６１２の区分２６６０によって少なくとも部分的に画定される、中空の空間２６７０の内に延びる。例示されるように、棒状突起部２６５０は、第１端部２６５２で表面２６１２に取り付けられ、中空の空間２６７０内に延びる第２の自由端２６５４を有する。例示されるように、突起部２６５０の端部２６５４は、互いに近接するが、接触しない。端部２６５４は、互いから更に離間してもよく、あるいは、端部２６５４が、直接的に又は間接的にのいずれかで、互いに接触するか又は取り付けられてもよいことが認識される。更に、棒状突起部は比較的細い、円形の横断面を有するように見えることがあるが、突起部の太さ、及びこれらの断面形状は変化してもよい。
【００７５】
図２７は、複数のプレート状突起部２７５０が取り付けられた、アプリケータ表面２７１２を有する、アプリケータヘッド２７１０を例示する。プレート状突起部２７５０は、アプリケータヘッド２７１０の長手方向軸２７４０の方を向く、表面２７１２の区分２７６０にのみ取り付けられるものとして例示される。したがって、プレート状突起部２７５０は、軸２７４０の方に面する、ヘッド２７１０の表面２７１２の区分２７６０によって少なくとも部分的に画定される、中空の空間２７７０の内に延びる。例示されるように、プレート状突起部２７５０は、第１端部２７５２で表面２７１２に取り付けられ、中空の空間２７７０内に延びる第２の自由端２７５４を有する。例示されるように、突起部２７５０の端部２７５４は、互いに近接するが、接触しない。端部２７５４は、互いから更に離間してもよく、あるいは、端部２７５４が、直接的に又は間接的にのいずれかで、互いに接触するか又は取り付けられてもよいことが認識される。更に、プレート状突起部は比較的薄い、扇状の形状の横断面を有することがあるが、突起部の厚さ、及びこれらの形状は変化してもよい。
【００７６】
図２８は、第１区分２８６０で第１断面積を、及び第２区分２８６２で第２断面積を有することがある、又は有するように見えることがある表面を有するアプリケータヘッド２８１０を例示する。第１区分２８６０の表面２８１２は、突起部を有さないものとして記載され得るが、第２区分２８６２の表面２８１２は、そこから延びる突起部を有するものとして記載され得、この突起部は、区分２８６２において表面２８１２に断面積を増加する。最初に、均一な断面積を有するコイルに、例えばディップコーティングなどにより材料を堆積することによって、第２区分２８６２の表面２８１２の断面積が増加されるような実施形態に関してこのような説明が使用され得る。これに関し、本開示による突起部は、図２３〜２８におけるように、アプリケータ表面に別個に取り付けられる必要はなく、むしろ、図２８の実施形態におけるように、突起部が、どこで表面が突起部から分離しているのか区別することを困難にするために、アプリケータ表面に対して一体的に及び連続的に取り付けられてもよいことに留意する。
【００７７】
当然ながら、ディップコーティングは、図２８に例示される表面２８１２を製作するための唯一の方法ではない。例えば、別の製作方法、例えば、成形又は押出成形などが、使用されて、第１区分２８６０と第２区分２８６２の間の表面２８１２の断面積を変化させてもよい。このような実施形態では、この作製方法では下部表面に材料が付加されないにも拘わらず、区分２８６０に対し、区分２８６２の突起部について依然として検討することができる。あるいは、そのようなものとして、突起部について言及することなく、表面２８１２の断面積の結果的な変化を説明することができる。
【００７８】
更に、表面２８１２の断面積の変化が、表面２８１２の断面積以外の表面２８１２の他の特性に影響し得ることが観察される。即ち、区分２８６０の断面積に対する区分２８６２の断面積の変化は、同様に有効ピッチに対する影響を有し得る。図２８に例示される実施形態から、区分２８６０内の有効ピッチは、区分２８６２の有効ピッチよりも大きい場合があることに留意されたい。したがって、表面２８１２の断面積の変化は有効ピッチに影響し得るが、表面２８１２は曲率などの別の特性の変化を通じて一定のピッチを維持するような形状にされ得るため、これは全ての実施形態に関して必ずしも妥当しない。区分２８６２が、それぞれ異なる有効直径を有する輪郭を備える、より小さい区分の連続としてみなされる場合、区分２８６２が異なる回転軸を有する表面２８１２の区分を示し、そのため表面２８１２の有効直径は変化し、有効軸の位置が結果的に変化することを提示することが可能であり得ることがまた認識される。
【００７９】
先に挙げた変化に加え、多くの材料のいずれかが、アプリケータ表面に適用されて、表面、又はその部分若しくは区域を改善してもよい。例えば、コーティングを表面に塗布して、表面を疎水性又は親水性にしてもよい。そうすることで、コーティングは、表面の形状を構造的に画定する、下部のコイル材料の表面化学を変化させることがある。更に、表面化学は他の方法で改善してもよい。例えば表面の内側に面する区域から睫毛へ移送される任意の「下塗り」への「上塗り」として機能し得る、表面の外側に面する区域に塗布される移送可能なコーティングなどのように、コーティング（単数又は複数）はまたアプリケータを通過する睫毛に移送可能であるように塗布され得る。コーティングを塗布する際、例えば、コーティングが塗布される区域の大きさ、コーティングが塗布される速度（滞留時間）、及びコーティング材料のレオロジーなどの変数の制御を所望してもよい。
【００８０】
更に、コーティングは、アプリケータ表面に色を提供してもよく、この色は、ヘッド若しくは表面全体に関して同じであってもよく、又は、ヘッド若しくは表面の異なる機構又は区域において異なっていてもよい。異なる色が使用されて、製品の利益をユーザーに伝えるか、又はユーザーのための特定の製品を特定し、これによってユーザーに対する製品の認識可能性を向上してもよい。加えて、又は別の方法として、異なる色が使用されて、ユーザーが、取扱説明書に従って、製品がどのように機能するか、又は製品の意図される使用法を理解することを補助してもよい。
【００８１】
このようなコーティングは、異なるピッチ、直径、断面積などの区域を強調するために使用することができる。しかしながら、異なる色の区域は、むしろ、同様の特性（ピッチ、直径、断面積など）を有するが、表面に沿った異なる空間的位置を有する表面の異なる区域に適用されてもよい。例えば、中空の空間に面する表面の区域は、中空の空間と反対を向く表面の区域と対照的な色を有してもよく、又は１つの長手方向区域は、別の長手方向区域に対して対照的な色を有してもよい。異なる色の区域は同等の大きさでなくてもよく、むしろ、１つの区域は、他の区域よりも大きくてよい。
【００８２】
図２２は、他のらせん状アプリケータ表面とは異なる色の１つのらせん状アプリケータ表面を有することにより、複数のらせんのヘッド２２１０の、１つのらせん状アプリケータ表面２２１２を他のらせん状表面２２１２から区別するために色が使用される、実施形態を例示する。図２９は、突起部のいくつか、又は全てと異なる色の表面を有することにより、１つ以上の突起部２９５０を、突起部２９５０が取り付けられる表面２９１２から区別するために色が使用される、実施形態を例示する。突起部２９５０の異なる区域を区別するために（例えば、表面２９１２に取り付けられる端部に対する突起部の自由端）、異なる色が使用され得ることが認識される。
【００８３】
使用される色は、有彩色、又は無彩色であってよい。例えば、図２２の実例では、１つの表面は有彩色を有し、他方の表面は無彩色を有してもよい。同様に、図２９の実例では、突起部が有彩色を有し、一方で表面は無彩色を有してもよい。しかしながら、アプリケータの異なる表面、及び／又は異なる部分（表面、突起部、供給源など）で使用される色は、一方が有彩色であることを必要とせずに対比色であり得ることが認識される。
【００８４】
あるいは、表面２９１２と突起部２９５０の間の色の差は、例えば、表面２９１２又は突起部２９５０に塗布されるコーティングによって画定されるのではなく、表面２９１２又は突起部２９５０が形成される際に画定される表面２９１２又は突起部２９５０の色によって画定されることがある。
【００８５】
らせん状アプリケータヘッドの実施形態を作製するための材料及び方法は、上記の実施形態のように異なり、変化してもよい。
【００８６】
アプリケータヘッドを作製するために使用される材料としては、例えば、金属、ポリマー（熱硬化性、及び熱成形）、接着剤樹脂、エポキシ、ガラス及びセルロースが挙げられる。単一のアプリケータヘッドは、ポリマー樹脂などの１つのみの群から選択される材料を含んでもよい。しかしながら、単一のアプリケータヘッドが、ポリマー樹脂内に分配若しくは混合されたガラス若しくはセルロール、又は金属に塗布されたポリマー樹脂など、２つ以上の群からの材料を含んでもよい。
【００８７】
金属からアプリケータヘッドを作製するために、材料が寸法調節器具（sizing fixture）を通じて引き出されてワイヤーを形成してもよく、このワイヤーは次に、マンドレル上でコイル又はスプールにされる。その形状を画定する２つ以上の円方程式を有する、複合コイルの場合、断続的に又は連続的に、比較的大きな及び比較的小さな半径とするために、一連のマンドレルが使用され得る。あるいは、シート材料は、材料の寸法を調節するために鳩目ツーリングを使用し、次に最終表面をつくるために余分な材料を切り取ることによって、所望の形状に形成されてもよい。シート材はまた余分な材料を取り除いて所望の表面を形成する前又は後に、細く切られ、巻かれ、溶接されてもよい。
【００８８】
ポリマーを使用してアプリケータヘッドを作製するため、コイルマンドレル又はローラーと共に静的及び／又は動的押出成形ヘッドを使用して、単一又は複ショット射出成形を使用し（押出成形であってもよい）望ましいらせん状表面をつくってもよい。ヘッドはまた、ドイツ、ｗａｉｚｅｎｄｏｒｆのゲーカ・ブルシュ（Geka Brush）社のモルトリュージョン（MOLTRUSION）技術を使用して成形されてもよく、主要中空構造体が成形されて、次に第２材料が十分な圧力で構造体の内部から推進され、構造体を通じて内部材料の制御された押出成形を可能にし、構造体に第２表面を形成する。加えて、表面は、熱若しくはレーザーにより光造形を使用して、又はラピッドプロトタイピングに使用され得る別の凝固プロセス、又は添加物堆積プロセスによって形成されてもよい。
【００８９】
いずれにせよ、作製された構造体は、完成したアプリケータヘッドを画定するために、他の加工工程に晒されてよい。金属表面は、軸負荷及び垂直軸負荷下での所望の硬度を生成するために、焼き戻されるか、又は浸炭されてもよい。（腐食性）ガスへの暴露、侵食性要素（ガラス又はサンドブラスト）による衝撃、ボールベアリングでの混転、鍛造又はハンマリング、及び正逆圧延（例えば、内部及び外部マンドレル又はローラーの手段による、圧力など）を含む、他の二次表面処理がまた使用されてもよい。加えて、上記のように、アプリケータ表面の、様々な製品での選択的作用を改善するために、様々な添加物コーティングを塗布することが望ましい場合がある。これらのコーティングは、噴霧されるか、浸漬されるか、電解によって塗布されるか、スパッタ又はバキュームモラライズ（moralized）されるか、印刷されるか、又は様々な繊維の組み合わせでフロック加工されてよい。
【００９０】
コイルが、第１区分２８６０において第１断面積を有し、第２区分２８６２において第２断面積を有するように見える、図２８に例示される実施形態に関し、ディップコーティングのプロセスによって、異なる断面積が形成されてもよい。即ち、全体を通じて比較的均一な断面積を有するらせん状コイルで、プロセスが開始されてもよい。コイルの一部のみ（第２区分２８６２）をコーティング材料中に浸漬することにより、コイルのこの区域におけるコイルの断面積は、コイルの残部に対して増加され得る。この浸漬は、１つの、又は一連のコーティング材料に対して行われてもよく、かつこの浸漬は、１回、又は何回かにわたって行われてよい。更に、浸漬の深さに加え、例えば、浸漬の速度（又は時間）、及びコーティング材料のレオロジーを変化させて、コイルの対象区域でのコーティング材料の堆積を調節してもよい。
【００９１】
このように、らせん状アプリケータ表面の様々な実施形態を記載したが、ここで図３０〜３４を参照すると、既述のらせん状表面の特性を変化させるために使用され得る、様々な調節機構が例示されている。これらの調節機構は、表面のピッチなどの、１つの特性を変化させるために使用され得る。この点において、これらは、図１２及び図１３に例示される機構と同様である。しかしながら、これらの調節機構のいくつかはまた、表面のピッチ及び有効直径など、単一の入力で２つ以上の特性を変化させるために使用してもよい。
【００９２】
図３０Ａ及び図３０Ｂは、らせん状アプリケータ表面３０１２の内部に配置される、屈曲可能な棒３０４２を含む、調節機構の実施形態を例示する。２つの構造体がその間で取り付けられなくても、棒３０４２の運動が、表面３０１２の湾曲を変化させ得るため、調節機構がアプリケータ表面３０１２に取り付けられることは必要ではない。しかしながら、いくつかの実施形態では、屈曲可能な棒３０４２は、表面３０１２の一端３０１４、他端３０１６、又は両端において、らせん状アプリケータ表面３０１２に取り付けられるか、又は連結されてもよい。屈曲可能な棒３０４２はまた、その中に配置される調節ワイヤー（図示されない）を有する。調節ワイヤーは、棒３０４２の遠位端３０４１に取り付けられる第１端部を有し、棒３０４２の内部の通路を通過して、棒３０４２の近位端３０４３から出る。ワイヤーは、スロット３０４５に受容されるスライドなどの、制御表面３０４４に連結されてもよい。図３０Ａの矢印の方向で、制御表面３０４４に適用される力により、棒３０４２の湾曲は、図３０Ａに例示される比較的真っ直ぐな形状から、図３０Ｂに例示される比較的湾曲した形状へと変化する。棒３０４２の表面は、棒３０４２の表面で、いずれか一面、若しくは対向する面、又は両面に沿って形成される１つ以上のスリット３０４８を有してもよいことが認識される。
【００９３】
図３１Ａ及び図３１Ｂは、本開示による調節機構の別の実施形態を例示する。この実施形態では、棒３１４２は、表面３１１２の内部の中空の空間３１７０内に配置される。らせん状アプリケータ表面３１１２は、棒３１４２の第１端部に取り付けられる一端３１１６を有し、一方で表面３１１２の第２端部３１１４は、茎部３１０４を通じてハンドル３１０２に連結される。棒３１４２は、ハンドル３１０２に対して可動であり、特にハンドル３１０２に対して、その軸の周りで可動である。棒３１４２の運動は、回転可能な制御表面３１４４の使用によって達成されることがあり、この制御表面３１４４は、ハンドル３１０２のいずれかの端部に配置されてよい。棒３１４２の、その軸の周りでの運動により、表面３１１２は、そのピッチ及びその直径を、図３１Ａに例示されるものから、図３１Ｂに例示されるものへと変化させることがある。
【００９４】
いくつかの実施形態では、棒３１４２のその軸の周りでの回転中の任意の点で、棒３１４２のその軸の周りでの運動が停止されてもよく、棒３１４２は適所に保持される。あるいは、例えば戻り止め機構により、棒３１４２は、その回転中の特定の点でのみ停止されて適所に保持される。また更なる代替として、棒３１４２が、第１の方向で所定の時間だけ回転して表面３１１２の特性を変化させ、次に自動的に第２方向で所定の時間だけ回転して表面３１１２をその元の初期形状に戻すように、自動的に振動してもよい。棒３１４２の運動は、表面３１１２の２つの形状の間で同等に振動する必要はないが、異なる状態に対応して、第１の形状と複数の異なる形状との間で振動してもよいことが更に認識される。
【００９５】
変化は図３１Ｂに例示される表面３１１２の長さに沿って均一であるように見えるが、らせん状アプリケータ表面３１１２を作製するために使用される材料は、棒３１４２のその軸の周りでの運動に対する表面３１１２の反応を変化させるために変えてもよい。図３１Ｃは、図３１Ａ及び図３１Ｂに例示されるものと同様の調節器を備えるらせん状アプリケータ表面３１１２を例示し、ここで棒３１４２は、表面３１１２の内部の中空の空間３１７０に沿って配置され、表面３１１６の一端は棒３１４２の第１端部に取り付けられ、表面３１１２の第２端部３１１４は、ハンドル３１０２に連結される。しかしながら、図３１Ａ及び図３１Ｂに例示される実施形態とは異なり、表面３１１２は、他の区域よりも硬い区域と、他の区域よりも弱い区域とを有してもよい。棒３１４２のその軸の周りの運動は、異なる硬度及び脆弱性の区域に影響し、表面のピッチ及び直径が、表面３１１２の長手方向軸に沿って変化し得るパターンを生じる。
【００９６】
図３２Ａ及び図３２Ｂは、本開示による調節機構の、更に別の実施形態を例示する。図３２Ａ及び図３２Ｂの調節機構は、ハンドル３２０２から延びるケース３２４２を含む。例示されるように、ケース３２４２は、円筒形の管の形状である。ケース３２４２は、その壁に形成される複数の開口部又は孔３２６４を有し、ケース３２４２の中空の空間と連通する。ケース３２４２はまた、その中に配置されるクランク軸３２６６を有し（図３２Ｂ及び図３２Ｃ参照）、軸３２６６はクランク軸３２６６に沿って長手方向に配置される接続区域を有し、ケース３２４２の開口部又は孔３２６４と位置合わせされる。らせん状アプリケータ表面３２１２は、表面３２１２の中空の空間３２７０内へ、及びこれによりケース３２４２の開口部３２６４内へと内側に延びる棒状突起部３２６８を有する。突起部３２６８は、クランク軸３２６６の接続区域と共に可動になるように、クランク軸３２６６の接続区域に取り付けられる。クランク軸３２６６の運動は、突起部３２６８の運動を生じ、これによって表面３２１２の表裏を成す内部表面が互いに対して運動し、これは次に表面の長手方向軸（１つ又は複数）と直交する平面の表面の形状の変化、及び／又は有効直径の変化を生じ得る。
【００９７】
図３３、及び図３４は、図３２の調節機構の別の実施形態を例示する。これに関し、ケース３３４２、３４４２は、中空の空間３３７０、３４７０の内部に配置され、ケース３３４２、３４４２は、可動軸３３６６、３４６６が内部に配置される、内部の中空の空間を有する。しかしながら、図３２の実施形態とは異なり、図３３、及び図３４の実施形態は、表面３３１２、３４１２、及び軸３３６６、３４６６に取り付けられる複数の棒を有さない。
【００９８】
代わりに、図３３の実施形態は、軸３３６６に沿って長手方向に離間する、複数のカム３３７２を含む。図３３は、ヘッド３３１０の長手方向軸と垂直な平面で取られるヘッド３３１０の横断面に見られるカム３３７２の１つを例示する。カム３３７２は、カム３３７２の少なくとも第１部分がケース３３４２の内部に配置される第１位置（実線で図示される）、及びカム３３７２の少なくとも第１部分が、ケース３３４２の外部に配置される第２位置（破線で図示される）の間で枢動可能に可動であるように、軸３３６６に取り付けられる。例示される実施形態では、カム３３７２は、第１位置でケース３３４２の内部に完全に受容され、かつ第２位置では、ほぼ完全にケース３３４２の外側である。カム３３７２は、例えばバネなどの弾性部材の使用によって、第１位置の方に偏倚してもよい。カム３３７２は、軸３３６６のその軸の周りでの運動によって、第１位置から第２位置へと推進されてもよい。
【００９９】
カム３３７２はそれぞれ、らせん状アプリケータ表面３３１２の内部区分と協働して、アプリケータ表面３３１２の特性を変化させ得る、カム表面３３７３を有する。例えば、第１位置と第２位置の間のカム３３７２の運動は、アプリケータ表面３３１２の形状を、表面３３１２の長手方向軸（１つ又は複数）と垂直な平面で、例えば円形の形状から、楕円形の形状へと変化させるか、及び／又は有効直径を変化させることがある。アプリケータ表面３３１２の形状を変化させるために、カムそれぞれ、又は更にその大部分のカム表面３３７３が、らせん状アプリケータ表面３３１２の内部区分と接触することは、必要ではない。実際に、カム３３７２が、軸３３６６に沿って互いに対して配向され、軸３３６６のその軸の周りでの特定の運動に反応して、第１位置と第２位置の間でカム３３７２のいくつかのみを動かし得ることが可能である場合がある。
【０１００】
図３４は、軸３４６６に枢動可能に取り付けられ、第１位置と第２位置との間で軸３４６６と共に可動である、少なくとも１つのカム３４７２を含む、別の実施形態を例示する。しかしながら、図３３の実施形態とは異なり、少なくとも１つのフォロア３４７４が提供され、このフォロア３４７４は、らせん状アプリケータ表面３４１２の内部区分と協働し、表面３４１２と協働するカム３４７２の表面３４７３よりもむしろ、アプリケータ表面３４１２の形状に変化を生じる。例示されるように、軸３４６６の運動は、両方のフォロワ３４７４を第１位置と第２位置の間で同時に動かし得る。しかしながら、他の実施形態では、カム３４７２は、異なる形状であるか、又は軸３４６６に異なる方法で取り付けられて、異なるフォロワ３４７４を、第１位置と第２位置との間で、異なる時間で動かしてもよい。例えば、カム３４７２は、フォロワ３４７４の一方のみがケース３４４２から外側に、及び内側に移動するように、図３３に例示されるものにより近い形状であってもよい。図３３の実施形態でそうであったように、フォロワ３４７４は図３４に例示される位置に偏倚してもよく、この位置からフォロワ３４７４は推進され得る。
【０１０１】
同様に他の理由によって、管、棒、及び他の構造体が、らせん状アプリケータ表面によって画定される中空の空間の内部に配置されてもよい。例えば、管、棒、及び他の構造体は、らせん状アプリケータ構造体に様々な点で取り付けて、らせん状アプリケータ表面を剛化するために使用されてもよい。いくつかの実施形態では、睫毛又は他のケラチン性物質が表面を通過して周囲にらせん状表面が配置される中空の空間内へと入ることができるように、管、棒、及び他の構造体は、アプリケータ表面の内側部分から離間される。
【０１０２】
らせん状アプリケータ表面３５１２によって画定される中空の空間内に配置される、管、棒、又は他の構造体を有するらせん状アプリケータヘッド３５１０の更なる実施形態は、図３５Ａ〜Ｂに例示される。この実施形態では、らせん状アプリケータ表面３５１２は、茎部３５０４に連結された第１端部３５１４を有する。らせん状アプリケータ表面３５１２は中空の空間３５７０を含み、この中に、ジャンプバーとして称されることがある、棒３５４２が配置される。棒３５４２は、いずれかの端部で表面３５１２に取り付けられてもよく、又は他の方法で表面３５１２、茎部３５０４、又は他の構造体に連結されてもよい。図３５Ｂに最もよく見られるように、棒３５４２は、ヘッド３５１０の長手方向軸３５４０に対してオフセットされる。ヘッド３５１０がその軸３５４０の周りを、手動又は自動のいずれかにより回転されると、標的物、例えば睫毛が中空の空間３５７０内へと入る。しかしながら、睫毛が棒に接触すると、睫毛は空間３５７０から押し出される。
【０１０３】
この運動は、例えば、睫毛が空間３５７０上方及び外側に押し出される際に睫毛の運動を可視化することにより、ユーザーがヘッド３５１０の運動を見えるようにする場合がある。ヘッド３５１０の運動の可視化は、例えば、複数のらせん状表面の１つが他とは異なる色を有する、図２２に例示されるように、ヘッドの一部をヘッドの残部とは異なる色に着色することによってまた補助してもよい。標的物を、表面の内部から表面３５１２の外部まで引っ張ることはまた、表面３５１２の内側に面する区分及び外側に面する区分に対して標的物の配置を変えること、加えて、同様に可能性として長手方向の配置を変えること、を補助する場合がある。更に、標的物を押すことは、らせん状表面３５１２の接線方向の力を適用することによって、標的物に「持ち上げ」効果を提供することがある。
【０１０４】
いくつかの実施形態では、ヘッドは複数のらせん状アプリケータ表面を含むことがあり、各らせん状表面は、ヘッドを部分的に画定する他の表面とは異なる特性を有することがある。図３６は、ヘッド３６１０が、複数のらせん状アプリケータ表面３６１２を含む、１つのこのような実施形態を例示する。表面３６１２は、共通軸の周囲に共通の距離で、同心円状に配置されるように見えるが、１つ以上の表面３６１２は、他のヘッドに対してオフセット（共通の軸に対して半径方向に内側、又は外側）されていてもよい。更に、全ての表面３６１２が共通の軸の周囲に配置されるのではなく、むしろ、表面３６１２の群が異なる軸の周囲に配置されてもよい。表面３６１２は、個別に、上述の表面の特性のいずれかを有してもよく、以下に説明される１つ以上の表面と組み合わされてもよい。
【０１０５】
即ち、表面３６１２の１つが、第１ピッチを有してもよく、一方で別の表面はより小さいピッチ、及び更に別のより大きなピッチを有してもよい。更に、１つの表面３６１２は一定のピッチを有してもよく、一方で別の表面３６１２は、調節可能なピッチを有する。なお更には、表面３６１２の１つが単一の軸を有してもよく、一方で別の表面３６１２は２つ以上の軸を有してもよい。あるいは表面は、１つの群が共通の軸の周囲に共通の距離で配置される２つ以上の表面を有し、一方で別の群が共通の軸の周囲に、しかし様々な距離で配置される、２つ以上の表面を有するように、分類されてもよい。更に、いくつかの表面が突起部、又はいくつかの種類の突起部を有してもよく、一方で他の表面は異なる突起部を有するか、突起部を有さない。簡潔に言えば、広範な種類の実施形態が可能であり得る。
【０１０６】
化粧品又は他の製品供給源
本明細書において記載されるアプリケータ表面は、多様な製品と共に使用され得る。いくつかの実施形態では、以下でより詳細に記載されるように、アプリケータ表面は、マスカラなどの化粧品製品と共に使用され得る。しかしながら、本論の多くは、頭髪に適用されるものなど、他の製品のアプリケータにこのように応用可能であることが認識される。
【０１０７】
化粧品製品は、固体、半固体、又は液体の形態であってもよい。しかしながら、本明細書において記載されるアプリケータ表面は、例えば粉末及び繊維の形態の製品と共に使用することもまた可能である。粉末は、粘着性がないか又は互いに結合していてもよく、かつ、均一な球の形状、棒状若しくは繊維状形状、小板状又は平坦な形状、不規則な形状、又はこれらの形状のいくつかの組み合わせを有してもよい。これらの粉末は、塗布された製品に（例えば、上塗りとして）、真珠光沢、又はより大きな体積及び／又はより長い長さを付加してもよい。
【０１０８】
マスカラに関し、この種類の製品は、ケーク又は塊、クリーム、ジェル、半固体、及び低粘度の液体の形態をとり得ることが認識される。実際に、ケークのマスカラは元々、最も一般的な形態であり、少なくとも５０％の石鹸と、石鹸ケークと混合される色素を含むように配合された。ワックスがその後組み込まれて、防水特性を改善した。現在、マスカラの配合物は、無水、油中水型エマルション、水中油型エマルション、油相をほとんど、又は全く含まない水ベースのマスカラを含む。配合物はまた、水中油中水型エマルションなどの、複数のエマルションを含んでもよい。更に、水ベースのエマルションに関し、これらのエマルションは、乳化されたワックス及びポリマーを、通常は水相内に分散された色素と共に含有し得る。具体的な化学とかかわりなく、これらの製品は、これらが塗布される睫毛の色、光沢、カール、及び／又は長さに影響し得る。
【０１０９】
化粧品製品以外の製品が、以下で説明される供給源によって提供され得ることがまた認識される。例えば、供給源は接着剤製品を提供してもよい。接着剤製品は、睫毛などの標的物に移送されてもよく、睫毛とらせん状アプリケータ表面の間の接触の結果として形成される睫毛の分離の維持を補助してもよい。あるいは、接着剤製品によって標的物が供給源に一時的に結合されてもよく、これは、アプリケータ表面が、標的物がアプリケータ、アプリケータヘッド、及び／又はアプリケータ表面に対して自由に動くことができた場合に用いるものとは異なる方法で標的物と接触することを可能にし得る。
【０１１０】
図３７は、化粧品製品が、アプリケータ表面内に画定される中空の空間から表面に適用される、第１実施形態を例示する。例示されるように、アプリケータヘッド３７１０は、アプリケータ表面３７１２を含む。アプリケータ表面３７１２は、図５Ｄに例示されるような、中空の内部空間を含む。中空の内部空間は、化粧品製品の供給源と連通している。中空の内部空間はまた、多くのポートと連通しており、これを通じて化粧品製品が中空の内部空間から出る。ポートを画定する表面３７１２の部分は、図５Ｅに例示されるものと同様の輪郭を有してもよい。例えば、アプリケータ表面内の中空の内部空間と連通する化粧品製品の供給源に力を適用することにより、圧力下で化粧品製品がポートから排出されて、睫毛及び／又は軸３７４０に面する表面３７１２の区域と接触してもよい。あるいは、化粧品製品がポートから「滴を垂らし」、睫毛に、又は表面３７１２の内側に面する区域に塗布されてもよい。
【０１１１】
図３８〜４０は、本開示によるアプリケータと共に使用され得る、様々な別の化粧品供給源を例示する。アプリケータヘッドの表面によって、少なくとも部分的に画定される中空の空間の内部の化粧品供給源の構成は、全ての例示に共通である。化粧品供給源は中空の空間の内部に配置されるものとして例示されるが、化粧品供給源はアプリケータヘッドの端部を越えて延びてもよいことが認識される。このような構成は、図３９におけるように、化粧品供給源が使用間に製品の外部供給源から化粧品製品を吸い上げる、吸収性材料を含む場合に、特に有用であり得る。このような実施形態では、供給源のみが外部供給源と接触することが好ましいことがある。例えば、供給源の空間内部への配置（しかしアプリケータヘッドの長手方向軸に沿って位置合わせされない）などの他の改善がまた認識される。
【０１１２】
まず、図３８では、アプリケータ３８００は、らせん状アプリケータヘッド３８１０と共に例示される。説明の簡易化のため、及び化粧品供給源の更なる可視化を可能にするため、ヘッド３８１０は、アプリケータの様々な実施形態に関して先に記載された機構のいくつかを欠いている。アプリケータ３８００は、これらの他の実施形態のいずれか、又は全ての機構を含んでもよいことが認識される。アプリケータヘッド３８１０は、化粧品供給源３８８０が中に配置される中空の空間３８７０を有する。本実施形態では、化粧品供給源３８８０は、固体又は半固体の化粧品製品の棒状構造体の形態である。したがって、睫毛は、ヘッド３８１０を通過する際に供給源３８８０と接触する。睫毛は、製品のいくらかを供給源３８８０からヘッド３８１０へと時間と共に移送してもよく、それによって、その後、睫毛は供給源３８８０に加えてヘッド３８１０で化粧品製品と接触し得る。供給源３８８０は棒状の外観を有するが、この外観は供給源３８８０の複数の可能な構成の１つであることが認識される。
【０１１３】
図３９内に例示されるアプリケータ３９００は、ヘッド３９１０、及び供給源３９８０を含む。供給源３９８０は、液体形態の化粧品製品に浸された吸収性材料を含む。化粧品製品は、例えば供給源３９８０内で使用される材料の吸収性に応じて異なる粘度と、化粧品製品を供給源３９８０からヘッド３９１０を通過する睫毛へと移送する望ましい能力を有してもよい。供給源３９８０は、例えば外部ケージ又は内部支持体などの他の構造体を含んで吸収性材料に剛性又は硬度を提供してもよいが、他の実施形態では、吸収性材料は、少なくともアプリケータ３９００の意図される有用な耐用期間にわたり、意図される用途のために、好ましい硬度又は剛性であってもよい。
【０１１４】
図４０に例示されるアプリケータ４０００は、製品を睫毛に移送するために、供給源４０８０と接触する睫毛に依存してもしなくてもよい、供給源４０８０を含む。代わりに、供給源４０８０は、使用中に液体形態の化粧品製品を少なくとも部分的に充填される容器４０８２を含む。容器４０８２は、１つ以上の出口ポート４０８４を有してもよく、使用中、これを通じて化粧品製品は供給源４０８０を出る。例えば、化粧品製品の粘度及びポート４０８４の相対的な大きさによって、製品は出口ポート４０８４を通じて「滴を垂らす」ことによって、ポート４０８４から出てもよい。あるいは、製品をポート４０８４の外に推進するために、製品に圧力を適用する必要がある場合がある。いくつかの実施形態では、ポート４０８４の外に製品を推進する必要があってもなくても、圧力が化粧品製品に適用されて、製品をポート４０８４の外に、及びヘッド４０１０の長手方向軸、及びしたがって供給源４０８０に面する表面４０１２の区分４０６０に推進して、製品を表面４０１２のその区分に塗布してもよい。
【０１１５】
図３８〜４０の実施形態に関し、アプリケータ表面３８１２、３９１２、４０１２は、供給源３８８０、３９８０、４０８０に対して移動してもよいこと、表面３８８０、３９８０、４０８０はアプリケータ表面３８１２、３９１２、４０１２に対して移動してもよいこと、又は表面３８１２、３９１２、４０１２及び表面３８８０、３９８０、４０８０が共に同調して、又は互いに対して移動してもよいことが認識される。例えば、表面３８１２、３９１２、４０１２は、一方向に回転してもよく、又は選択的に両方向に回転してもよく、又は振動する方法で両方向に回転してもよい。供給源３８８０、３９８０、４０８０もまた、一方向に、選択的に両方向に、又は振動しながら両方向に回転し得る。供給源３８１２、３９１２、４０１２の回転軸は、供給源の外側表面３８１２、３９１２、４０１２に対して取られる長手方向軸と対応してもしなくてもよい。加えて、供給源３８８０、３９８０、４０８０は、軸方向に運動するか、又は並進運動してもよい。これらの運動の組み合わせが認識され、本開示に包含される。
【０１１６】
表面の更に別の実施形態が、図４１Ａ及び図４１Ｂに例示される。アプリケータ４１００は、供給源４１８０、及び特にリザーバ４１８２と連通するらせん状アプリケータ表面４１１２を含む。表面４１１２は、アプリケータ４１００のヘッド４１１０を画定する第１区分４１６０、及び、製品をリザーバ４１８２から第１区分４１６０へと移送するための移送機構を画定する第２区分４１６２を含む。
【０１１７】
製品をリザーバ４１８２から第１区分に移送するために、表面４１１２は駆動部（図示されない）に連結され、この駆動部（図示されない）により、表面４１１２はその長手方向軸（１つ又は複数）４１４０の周りを回転する。表面４１１２の少なくとも第２区分４１６２は、表面４１１２に取り付けられる複数の突起部４１５０を含んでもよい。突起部４１５０は、プレート状、カップ状、又はスコップ状の形状の形であってもよく、それによって突起部４１５０は、リザーバ４１８２からの製品を受容するために、その中に空間を画定する。別の実施形態では、突起部４１５０は任意である。軸４１４０の周囲の表面４１１２の運動により、製品がリザーバ４１８２から、第１区分４１６０へと運ばれる。
【０１１８】
回転運動を利用する代わりに、図４１Ａ及び図４１Ｂの実施形態は、軸運動を利用してもよいことが認識される。即ち、表面４１１２、又は少なくともヘッド４１１０を画定するだけの表面４１１２の部分が、リザーバ４１８２内へ軸方向で引き込まれてもよい。表面４１１２は、次にリザーバ４１８２から軸方向に推進され、製品はしたがって表面４１１２上に配置される。
【０１１９】
本開示によるアプリケータはまた、より従来的な化粧品供給源と共に使用されてもよいことが認識される。例えば、化粧品材料は、ボトル内に配置されてもよく、様々な粘度の流体又は半流体の形態であってもよい。このような実施形態では、化粧品製品のいくらかを、アプリケータヘッド、又はアプリケータヘッドの少なくとも区域から取り除く、ワイパーを有することが望ましい場合がある。
【０１２０】
ワイパーは、従来的な形状を有してもよい。例えば、ワイパーは円錐の形状を有してもよく、ワイパーのより大きな開口部が、より小さい開口部へと狭まって、これがボトル内の製品の直近に位置する。あるいは、ワイパーは環状の形状を有し、アプリケータヘッドがボトルから引き出されるか又はボトル内に戻される際に上方又は下方に波状に動く、可撓性の縁部を備えてもよい。しかしながら、図４２〜４４は、本発明によるらせん状アプリケータヘッドと使用されるワイパーの更に別の実施形態を例示している。
【０１２１】
図４２は、ワイパー４２８１と組み合わせた表面４２１２の一部を例示している。ワイパー４２８１は、続く図４６及び図４７に例示されるような、化粧品製品の従来のボトルの開口部又はポートに配置される。ワイパー４２８１は、内部ねじ山４２８３を有する。ねじ山のピッチが、らせん状アプリケータ表面４２１２のものと同じ、又は同様であることが好ましいが、ピッチが実質的に異なることもまた可能である。ねじ山４２８３は、表面４２１２の外側に面する表面から、加えて表面４２１２のより内側に面する表面の区域から、化粧品製品を取り除くことがある。あるいは、ねじ山４２８３は表面４２１２から離間され、製品を全体的に取り除くことなく、化粧品製品の量を制限するか、又は化粧品製品のアプリケータ表面４２１２への定着、又は適用を案内してもよい。アプリケータ表面４２１２の回転は、表面４２１２にワイパー４２８１を通過させることを補助してもよく、その結果、ワイパー４２８１は、表面４２１２を自動的に回転させるための駆動部を備える自動アプリケータとの使用のために好適である場合がある。
【０１２２】
図４３は、ワイパー４３８１と組み合わされた、表面４３１２の一部を例示する。ワイパー４３８１は、環状の形状を有する化粧品製品のボトルと共に使用され、したがって第１ワイパーブレード４３８３が表面４３１２の外側に配置され、第２ワイパーブレード４３８５が表面４３１２の内側に配置されることを可能にする。この方法では、化粧品製品は塗布の前に、表面４３１２の内側に面する表面、及び外側に面する表面から取り除かれ得る。外側ブレード４３８３、及び内側ブレード４３８５の存在はまた、長手方向軸に沿った、コイルの近接する区域の間に延びるあらゆる製品を、分離させることがある。
【０１２３】
図４４は、図４２及び図４３の実施形態と同様に、ワイパー４４８１と組み合わせた表面４４１２の一部を例示しているが、またコア４４８７を含む。ワイパー４４８１は、表面４４１２の外側に面する表面から製品を取り除き、長手方向軸に沿ったコイルの近接する区域の間に延びるあらゆる製品を、分離させる可能性がある。コア４４８７はまた、表面４４１２の内側に面する表面から製品を取り除くことがある。あるいは、コア４４８７は、最初の、製品の表面４４１２の内側に面する表面への適用を制限又は案内してもよい。これは、コア４４８７を表面４４１２の内側に面する表面と接触させることによって行われ得るが、コア４４８７はまた、内側に面する表面から離間していてもよい。
【０１２４】
実際に、コア４４８７の形状、表面処理、及び配置は、製品の塗布を制限又は案内するために変化してもよい。コア４４８７の形状の、非制限的で、代表的な一連のバリエーションが、図４５Ａ〜Ｅに例示されている。図４５Ａに例示されるように、コア４４８７の横断面は、中実であってよい。あるいは、図４５Ｂに例示されるように、コア４４８７の横断面は三日月形であってもよい。なお、更なる代替として、図４５Ｃに例示されるように、コア４４８７はコア４４８７の長手方向軸と平行なコア４４８７の外側表面に形成される、スリットを有してもよい。更に、図４５Ｄに例示されるように、コア４４８７は、その中に形成されるらせん状の溝を有してもよく、この溝は、アプリケータ表面４４１２のものとは異なるピッチ、掌性などを有してもよい。コア４４８７はまた、図４５Ｅに例示されるように、コア４４８７の長手方向軸と垂直な平面の表面の周囲に走る溝を有してもよい。加えて、例示されるように、コア４４８７は、らせん状アプリケータ表面の１つ以上の長手方向軸と位置合わせされる必要はない。
【０１２５】
コア４４８７は、多数の異なる機構を使用して、表面４４１２の内部で推進されてもよい。例えば、コア４４８７は、第１状態で茎部の内部に配置され、かつ第２状態でコア４４８７の内部の中空の空間内に推進される、棒によって画定されてもよい。棒に直接連結され、かつスロットに沿って、第１状態に対応する第１位置と、第２状態に対応する第２位置の間で可動である、制御表面が使用され得るが、他の多くの制御表面及び接続であってもよい。あるいは、コアはボトル又はホルダーの内部に画定されてもよく、表面４４１２は、表面４４１２がボトル又はホルダー内に推進されると、表面４４１２の内部の中空の空間の内部にコア４４８７を受容し得る。いくつかの実施形態では、表面４４１２がボトル又はホルダー内に推進されると、表面４４１２が、表面４４１２によって画定される中空の空間の内部のコア４４８７を受容する際に収縮する。
【０１２６】
加えて、本開示によるアプリケータを、使用間にアプリケータヘッドを洗浄するための機構と共に使用することが可能であり得る。即ち、アプリケータヘッドを洗浄するための機構は、アプリケータ表面と、ユーザーの睫毛との１度以上の接触の間に使用してもよい。洗浄機構は各接触の後に使用され、それによって、アプリケータ表面が再び睫毛と接触する前に、任意の残留製品をアプリケータ表面から取り除き得ることが、認識される。あるいは、洗浄機構は、数回のこのような接触の後に使用され、アプリケータ表面上に時間と共に蓄積した残留製品を取り除いてもよい。
【０１２７】
いずれにせよ、洗浄機構は、洗浄溶液がその中に配置される容器の形態であってもよく、この容器はアプリケータヘッドの一部又は全部が通過し得るポートを有する。いくつかの実施形態では、洗浄溶液は、製品をアプリケータ表面から取り除くために単独で使用されてもよい。他の実施形態では、溶液は、溶液内の運動を誘発するために攪拌され、これによって製品のアプリケータ表面からの除去を補助してもよい。更に、ヘッドは、内部又は外部の振動発生機の使用によって振動され、製品の除去を補助してもよい。なお更には、ブラシ又は他の道具をヘッドと接触させ、ブラシ／道具、及びヘッドの一方又は両方を動かして、製品の除去を補助してもよい。更に、ブラシ又は他の道具は、製品をアプリケータ表面から取り除くために、洗浄溶液を伴わずに使用してもよい。
【０１２８】
アプリケータシステムのアセンブリ
上述した実施形態のいずれかによるアプリケータ１００は、単一体として製造されてもよい。即ち、ハンドル１０２は、茎部１０４に取り付けられ、茎部１０４はヘッド１１０に取り付けられてよい。更に、茎部１０４をハンドル１０２から取り外そうとすると、茎部１０４及びハンドル１０２の一方、又は両方を損傷する結果となることがある。アプリケータ１００は、化粧品、例えばマスカラのボトルと一緒にパッケージ化され、販売されてもよい。
【０１２９】
同様に、アプリケータ２００は、単一体として製造されてもよい。即ち、アプリケータヘッド２１０は、アプリケータヘッド２１０を駆動部２２０から分離しようとすると、ヘッド２１０及び駆動部２２０の一方若しくは両方を損傷する結果となり、ヘッド２１０及び／又は駆動部２２０を動作不能にしてしまうことがあるような方法で、駆動部２２０に連結されてもよい。あるいは、アプリケータヘッド２１０及び／又は駆動部２２０は、同じ趣旨でハンドル２０２に連結されてもよい。アプリケータ２００はまた、化粧品、例えばマスカラのボトルと共に包装され、販売されてもよい。
【０１３０】
しかしながら、アプリケータ１００、２００の構成要素はまた、別々に包装されて販売されるように製造されてもよい。このようなシステムの２つの例が、図４６、及び図４７に例示される。
【０１３１】
図４６及び図４７に図示されるように、アプリケータヘッド４６１０、４７１０（茎部を備える、又は備えない）は、様々なヘッド４６１０、４７１０が所定の駆動部４７２０、及び／又はハンドル４６０２、４７０２と共に使用され得るように、駆動部４７２０及び／又はハンドル４６０２、４７０２から選択的に取り外し可能であってよい。この方法にならって、ユーザーは、２つ以上のハンドル４６０２、又は２つ以上の駆動部４７２０／ハンドル４７０２ユニットを獲得又は購入することを必要とせずに、異なるアプリケータ要素の輪郭、又はアプリケータ要素の分布を有するアプリケータヘッド４６１０と４７１０の間の交換をすることが可能であり得る。これらの実施形態では、１つ以上のアプリケータヘッド４６１０、４７１０、及びハンドル４６０２、又は駆動部４７２０／ハンドル４７０２ユニットが、キットとして包装及び販売されてもよく、アプリケータヘッド４６１０、４７１０は、補給又は交換品として、ハンドル４６０２、又は駆動部４７２０／ハンドル４７０２とは別々に包装及び販売されてもよい。
【０１３２】
更に、これらの方針に従って、アプリケータヘッド４６１０、４７１０は、ユニット４６９０、４７９０として、ホルダー又はボトル４６９２、４７９２と共に、包装及び販売されてもよい。図３８〜４０に図示されるような実施形態では、化粧品製品（例えば、マスカラ）の供給源がヘッドの内部に配置され、ホルダー４６９２、４７９２は、使用されていない時に、アプリケータヘッド４６１０、４７１０及び供給源との接触を防ぐ。他の実施形態では、ボトル４６９２、４７９２は、化粧品製品を収容するボトルであり得る。いくつかの実施形態では、アプリケータヘッド４６１０、４７１０は、ねじ付き部分４６９４、４７９４を含んでもよく、これは、ボトル４６９２、４７９２の同様のねじ付き部分４６９６、４７９６と係合する。ヘッド４６１０、４７１０はその後、使用時に、ハンドル４６０２又は駆動部４７２０／ハンドル４７０２に連結されてもよい。ハンドル４６０２、又は駆動部４７２０／ハンドル４７０２は、キットの一部として、ヘッド４６１０、４７１０とボトル４６９２、４７９２の組み合わせ４６９０、４７９０で、包装及び販売されてもよく、又は、ハンドル４６０２及び駆動部４７２０／ハンドル４７０２は、ヘッド４６１０、４７１０／ボトル４６９２、４７９２とは別々に包装及び販売されてもよい。
【０１３３】
ヘッド４６１０、４７１０は別々に包装及び販売され得る、アプリケータの唯一の構成要素ではないことが認識される。例えば、また図４７に例示されるように、電源４７２４は、駆動部４７２０残部から選択的に取り外し可能である。更に、電源４７２４は、駆動回路４７３２と連結されて、一種の高性能電源４７３４を形成してもよく、これは単に電圧及び電流をモーターに供給することができるだけではなく、アプリケータヘッド４７１０の速度を制御して、一定ではない回転速度を供給するか、又は他の何らかの制御機能（例えば、運動の方向性）を提供することもできる。この方式にならって、１つの高性能電源４７３４又は駆動部４７２０の残りの部分のもう１つの選択及び組み合わせは、アプリケータ４７００の性能に有意な影響を与えることがある。別の実施形態では、ヘッド４７１０、及び電源４７３４は、駆動部４７２０／ハンドル４７０２とは別々に包装及び販売され得る。
【０１３４】
本明細書に開示される寸法及び値は、列挙された正確な数値に厳しく限定されるものとして理解されるべきではない。それよりむしろ、特に規定がない限り、こうした各寸法は、列挙された値とその値周辺の機能的に同等の範囲との両方を意味することを意図されている。例えば、「４０ｍｍ」として開示した寸法は、「約４０ｍｍ」を意味することを意図したものである。
【０１３５】
「発明を実施するための形態」で引用した全ての文献は、その関連部分において本明細書に参照により組み込まれ、いかなる文献の引用も、それが本発明に対する先行技術であることを認めるものと解釈すべきではない。本明細書中の用語の任意の意味又は定義が、参照により組み込まれた文献中の同一の用語の任意の意味又は定義と相反する限りにおいては、本明細書においてその用語に与えられた意味又は定義が適用されるものとする。
【０１３６】
本発明の特定の諸実施形態を図示し、記載したが、本発明の趣旨及び範囲から逸脱することなく他の様々な変形及び修正を実施できることは当業者には自明であろう。したがって、本発明の範囲内にあるような全ての変形及び修正は、添付の特許請求の範囲に包含されるものとする。
【図１】
0005480142.tif 000002
【図１Ａ】
0005480142.tif 000003
【図２】
0005480142.tif 000004
【図３】
0005480142.tif 000005
【図４】
0005480142.tif 000006
【図５Ａ】
0005480142.tif 000007
【図５Ｂ】
0005480142.tif 000008
【図５Ｃ】
0005480142.tif 000009
【図５Ｄ】
0005480142.tif 000010
【図５Ｅ】
0005480142.tif 000011
【図５Ｆ】
0005480142.tif 000012
【図５Ｇ】
0005480142.tif 000013
【図５Ｈ】
0005480142.tif 000014
【図６】
0005480142.tif 000015
【図７】
0005480142.tif 000016
【図８】
0005480142.tif 000017
【図９】
0005480142.tif 000018
【図１０】
0005480142.tif 000019
【図１１】
0005480142.tif 000020
【図１２Ａ】
0005480142.tif 000021
【図１２Ｂ】
0005480142.tif 000022
【図１３Ａ】
0005480142.tif 000023
【図１３Ｂ】
0005480142.tif 000024
【図１４】
0005480142.tif 000025
【図１５】
0005480142.tif 000026
【図１６】
0005480142.tif 000027
【図１７】
0005480142.tif 000028
【図１８Ａ】
0005480142.tif 000029
【図１８Ｂ】
0005480142.tif 000030
【図１９Ａ】
0005480142.tif 000031
【図１９Ｂ】
0005480142.tif 000032
【図２０】
0005480142.tif 000033
【図２１】
0005480142.tif 000034
【図２２】
0005480142.tif 000035
【図２３】
0005480142.tif 000036
【図２４】
0005480142.tif 000037
【図２５】
0005480142.tif 000038
【図２６】
0005480142.tif 000039
【図２７】
0005480142.tif 000040
【図２８】
0005480142.tif 000041
【図２９】
0005480142.tif 000042
【図３０Ａ】
0005480142.tif 000043
【図３０Ｂ】
0005480142.tif 000044
【図３１Ａ】
0005480142.tif 000045
【図３１Ｂ】
0005480142.tif 000046
【図３１Ｃ】
0005480142.tif 000047
【図３２Ａ】
0005480142.tif 000048
【図３２Ｂ】
0005480142.tif 000049
【図３２Ｃ】
0005480142.tif 000050
【図３３】
0005480142.tif 000051
【図３４】
0005480142.tif 000052
【図３５Ａ】
0005480142.tif 000053
【図３５Ｂ】
0005480142.tif 000054
【図３６】
0005480142.tif 000055
【図３７】
0005480142.tif 000056
【図３８】
0005480142.tif 000057
【図３９】
0005480142.tif 000058
【図４０】
0005480142.tif 000059
【図４１Ａ】
0005480142.tif 000060
【図４１Ｂ】
0005480142.tif 000061
【図４２】
0005480142.tif 000062
【図４３】
0005480142.tif 000063
【図４４】
0005480142.tif 000064
【図４５Ａ】
0005480142.tif 000065
【図４５Ｂ】
0005480142.tif 000066
【図４５Ｃ】
0005480142.tif 000067
【図４５Ｄ】
0005480142.tif 000068
【図４５Ｅ】
0005480142.tif 000069
【図４６】
0005480142.tif 000070
【図４７】
0005480142.tif 000071